(57)【要約】【課題】  患者の医学的パラメータをモニタリング及び表示するための方法、システム及び装置を提供する。【解決手段】  一実施形態において、ディスプレイ画面は、患者から測定される生理学的パラメータに関する情報を含み得る。この情報は、ある時間にわたって患者から収集された生理学的パラメータの値に基づく現在値を含み得る。このディスプレイ画面は、その現在値がその生理学的パラメータの所定の正常範囲内であるかどうか、及び、その現在値がその生理学的パラメータの所定の目標範囲内であるかどうかを、表示することができる。目標範囲は、正常範囲内の入れ子状であり得る。現在値が正常範囲から外れる場合には、アラームをトリガすることができる。目標アラームは、現在値が正常範囲であるが目標範囲から外れた場合にはトリガすることができる。【選択図】  図２
2014176696.tif 000002
【特許請求の範囲】
【請求項１】
システムであって、
ディスプレイ画面と、
プロセッサと、を含み、前記プロセッサが、
ある時間にわたって患者から測定された生理学的パラメータの複数の値を受け取ること、
該受け取り値に基づく現在値が該生理学的パラメータの正常範囲内であるかどうかを判定すること、
該現在値が該正常範囲内でないと判定された場合には該ディスプレイ画面上にアラームインジケータを表示させることであって、該アラームインジケータは該現在値が該正常範囲内にあると判定されたときには該ディスプレイ画面上に表示されない、こと、
該現在値が該生理学的パラメータの目標範囲内であるかどうかを判定することであって、該目標範囲内は該正常範囲内に入れ子になっている、こと、及び
該現在値が該目標範囲内であると判定された場合には該ディスプレイ画面上に目標インジケータを表示させることであって、該目標インジケータは該現在値が該目標範囲内にないと判定されたときには該ディスプレイ画面上に表示されない、こと、
を行うように構成される、システム。
【請求項２】
前記生理学的パラメータが、頭蓋内圧（ＩＣＰ）、脳潅流圧（ＣＰＰ）、平均動脈血圧（ＭＡＰ）、酸素飽和度（ｐＯ２）、心拍数、及び温度のうちの少なくとも１つである、請求項１に記載のシステム。
【請求項３】
方法であって、
ある時間にわたって患者から測定された生理学的パラメータの複数の値を受け取ることと、
前記受け取り値に基づく現在値が前記生理学的パラメータの正常範囲内であるかどうかを判定することと、
前記現在値が前記正常範囲内でないと判定された場合には前記ディスプレイ画面上にアラームインジケータを表示させることであって、前記アラームインジケータは前記現在値が前記正常範囲内にあると判定されたときには前記ディスプレイ画面上に表示されない、ことと、
前記現在値が前記生理学的パラメータの目標範囲内であるかどうかを判定することであって、前記目標範囲が前記正常範囲内に入れ子になっている、ことと、
前記現在値が前記目標範囲内であると判定された場合には前記ディスプレイ画面上に目標インジケータを表示させることであって、前記目標インジケータは前記現在値が前記目標範囲内にないと判定されたときには前記ディスプレイ画面上に表示されない、ことと、を含む、方法。
【請求項４】
前記目標インジケータを前記ディスプレイ画面上に表示させることは、前記ディスプレイ画面の第１部分に示される色を変化させることを含み、かつ前記アラームインジケータを前記ディスプレイ画面上に表示させることは、前記ディスプレイ画面の第２部分に示される色を変化させることを含む、請求項３に記載の方法。
【請求項５】
複数の前記値が所定パターンに合致するかどうかを判定することを更に含み、前記現在値が前記目標範囲内であると判定された場合であっても、前記複数の値が前記所定パターンに合致すると判定された場合には、前記ディスプレイ画面に前記目標インジケータが表示されない、請求項３に記載の方法。
【請求項６】
前記所定パターンが、前記正常範囲の上限に向かって連続的に増加する前記複数の値、及び前記正常範囲の下限に向かって連続的に減少する前記複数の値のうちの少なくとも１つを含む、請求項５に記載の方法。
【請求項７】
前記複数の値の数が、所定の数である、請求項５に記載の方法。
【請求項８】
前記ディスプレイ画面がハウジングに取り付けられており、かつ前記現在値が前記正常範囲内であるかどうかを判定すること、前記アラームインジケータを表示させること、前記現在値が前記目標範囲内であるかどうかを判定すること、及び、前記目標インジケータを表示させることが、前記ハウジング内に配置されるプロセッサにより実行される、請求項３に記載の方法。
【請求項９】
前記ディスプレイ画面が、ハウジングに取り付けられており、かつ前記現在値が前記正常範囲内であるかどうかを判定すること、前記アラームインジケータを表示させること、前記現在値が前記目標範囲内であるかどうかを判定すること、及び前記目標インジケータを表示させることが、前記ハウジングから遠く離れて配置されているプロセッサにより実行される、請求項３に記載の方法。
【請求項１０】
前記生理学的パラメータが、頭蓋内圧（ＩＣＰ）、脳潅流圧（ＣＰＰ）、平均動脈血圧（ＭＡＰ）、酸素飽和度（ｐＯ２）、心拍数、及び温度のうちの少なくとも１つである、請求項３に記載の方法。
【請求項１１】
コンピュータ読み取り可能な媒体であって、実行時に請求項３の方法を実施するプログラムをそれ自体に保存する、コンピュータ読み取り可能な媒体。
【請求項１２】
方法であって、
ある時間にわたって、生理学的パラメータの値を表わすデータを受け取ることであって、前記生理学的パラメータが患者から測定される、ことと、
前記受け取り値に基づく現在値をモニタリング画面上に表示することと、
前記現在値が、前記生理学的パラメータの目標範囲内であるかどうかを判定することであって、前記目標範囲が所定上限及び所定下限を有する、ことと、
前記現在値が前記目標範囲内であると判定された場合には、前記現在値が前記目標範囲内であることを示す視覚的目標インジケータを前記モニタリング画面上に表示させることであって、前記現在値が前記目標範囲内にないと判定された場合には、前記目標インジケータは前記モニタリング画面上に表示されない、ことと、
前記現在値が前記生理学的パラメータの正常範囲内にあるかどうかを判定することであって、前記正常範囲が、前記目標範囲の前記所定上限よりも大きい所定上限と、前記目標範囲の前記所定下限よりも小さい所定下限とを有する、ことと、
前記現在値が前記正常範囲外であると判定された場合には、前記現在値が前記正常範囲外であることを示す視覚的アラームインジケータを前記モニタリング画面上に表示させることであって、前記現在値が前記正常範囲内であると判定された場合には、前記アラームインジケータは前記モニタリング画面上に表示されない、ことと、を含む、方法。
【請求項１３】
前記視覚的目標インジケータを前記モニタリング画面上に表示させることは、前記現在値に隣接する前記モニタリング画面の第１部分に表示される色を変化させることを含み、かつ前記視覚的アラームインジケータを前記モニタリング画面上に表示させることが、前記現在値に隣接する前記モニタリング画面の第２部分に表示される色を変化させることを含む、請求項１２に記載の方法。
【請求項１４】
前記アラームインジケータが前記モニタリング画面上に表示されている場合には、前記目標インジケータが前記モニタリング画面上に表示されず、かつ前記目標インジケータが前記モニタリング画面上に表示されている場合には、前記アラームインジケータを前記モニタリング画面上に表示させない、請求項１２に記載の方法。
【請求項１５】
前記目標インジケータが前記モニタリング画面に表示されているかどうかを前記モニタリング画面上で連続的に更新するように、前記現在値が前記目標範囲内かどうかを判定することを連続的に繰り返すことと、
前記アラームインジケータが前記モニタリング画面に表示されているかどうかを前記モニタリング画面上で連続的に更新するように、前記現在値が前記正常範囲内かどうかを判定することを連続的に繰り返すことと、を更に含む、請求項１２に記載の方法。
【請求項１６】
前記ある時間にわたって、前記患者から測定された第２の生理学的パラメータの値を表わすデータを受け取ることと、
前記ある時間にわたる前記第２の生理学的パラメータの前記値の現在値に基づいて、前記目標範囲の前記所定上限と前記目標範囲の前記所定下限のうちの少なくとも１つを変更することと、を更に含む、請求項１２に記載の方法。
【請求項１７】
ある期間にわたって１つ又は２つ以上の追加の生理学的パラメータの値を表わすデータを受け取ることであって、前記１つ又は２つ以上の追加の生理学的パラメータのそれぞれが前記患者から測定される、ことと、
前記ある期間にわたって前記１つ又は２つ以上の追加の生理学的パラメータのそれぞれの現在値のグラフィック表示を、前記モニタリング画面上に表示することと、
前記１つ又は２つ以上の追加の生理学的パラメータのそれぞれの前記現在値が、前記１つ又は２つ以上の追加の生理学的パラメータのそれぞれの対応する目標範囲内にあるかどうかを判定することであって、前記対応する目標範囲のそれぞれが、所定上限及び所定下限を有する、ことと、
前記１つ又は２つ以上の追加の生理学的パラメータのいずれかの前記現在値が、それに関連する目標範囲内であると判定された場合には、前記現在値が前記目標範囲内であることを示す視覚的目標インジケータを前記モニタリング画面上に表示させることであって、前記１つ又は２つ以上の追加の生理学的パラメータの前記目標インジケータは、それに関連する現在値がそれに関連する目標範囲外であると判定された場合には、前記モニタリング画面上に表示されない、ことと、
前記１つ又は２つ以上の追加の生理学的パラメータのそれぞれの前記現在値が、前記１つ又は２つ以上の追加の生理学的パラメータのそれぞれの対応する正常範囲内にあるかどうかを判定することであって、前記対応する正常範囲のそれぞれが、それに関連する目標範囲の前記所定上限より大きい所定上限と、その目標範囲の前記所定下限より小さい所定下限とを有する、ことと、
前記１つ又は２つ以上の追加の生理学的パラメータのいずれかの前記現在値が、それに関連する正常範囲外であると判定された場合には、前記現在値が前記正常範囲外であることを示す視覚的アラームインジケータを前記モニタリング画面上に表示させることであって、前記１つ又は２つ以上の追加の生理学的パラメータの前記アラームインジケータは、それに関連する現在値がそれに関連する正常範囲内であると判定された場合には、前記モニタリング画面上に表示されない、ことと、を更に含む、請求項１２に記載の方法。
【請求項１８】
前記目標範囲の前記所定上限と前記目標範囲の前記所定下限とを示す手動のユーザ入力に応答して、前記目標範囲の前記所定上限と前記目標範囲の前記所定下限とを設定すること、を更に含む、請求項１２に記載の方法。
【請求項１９】
前記生理学的パラメータの典型的な正常範囲に基づいて、前記目標範囲の前記所定上限と前記目標範囲の前記所定下限とを予めプログラミングすること、を更に含む、請求項１２に記載の方法。
【請求項２０】
前記生理学的パラメータが、頭蓋内圧（ＩＣＰ）、脳潅流圧（ＣＰＰ）、平均動脈血圧（ＭＡＰ）、酸素飽和度（ｐＯ２）、心拍数、及び温度のうちの少なくとも１つである、請求項１２に記載の方法。
【発明の詳細な説明】
【技術分野】
【０００１】
本発明は全般に、患者の医学的パラメータをモニタリング及び表示するための方法、システム及び装置に関する。
【背景技術】
【０００２】
患者モニタリングは様々な形態で行うことができ、様々な幅広い生理学的データを収集することができる。そのようなデータのディスプレイは、何を表示し、どのように表示するかを含め、医師と看護師などの医療介護者がそのデータを解釈して対応するための能力に影響をもたらし得る。例えば、頭蓋内圧（ＩＣＰ）は外傷性脳損傷患者の標準モニタリングモダリティーである。医学的ガイドラインにより、頭蓋内圧の閾値が指示されることがある。例えば、Ｂｒａｉｎ  Ｔｒａｕｍａ  Ｆｏｕｎｄａｔｉｏｎのガイドラインでは、頭蓋内圧が２．６７〜３．３３ｋＰａ（２０〜２５ｍｍＨｇ）を超えた場合には当該内圧を低減するための臨床的処置を行うべきであると示されている。ただし、患者の生理学的状態、モニタリングシステムのノイズ、及び医療介護者が行う処置を含め、数多くの要素が頭蓋内圧の一過性変化を引き起こす可能性がある。
【０００３】
患者をモニタリングするため、医療介護者は典型的に、図１に示すようなＣｏｄｍａｎ  ＩＣＰ  Ｅｘｐｒｅｓｓ装置１００（Ｃｏｄｍａｎ  ＆  Ｓｈｕｒｔｌｅｆｆ，Ｉｎｃ．（Ｒａｙｎｈａｍ，ＭＡ）から市販されている）などのモニタリング装置を使用する。例示されたように、装置１００は、頭蓋内圧のディスプレイ、及び頭蓋内圧に関する収縮期値と拡張期値のディスプレイ、並びにアラームを有する。医療介護者はこのディスプレイを見て、頭蓋内圧を確認することができる。医療介護者はまたチャートを使用し、例えば患者のチャート内にイベントを手動で記録することができる。
【０００４】
現行のモニタリング装置における欠点の１つは、この装置が限られた量の患者データしか提供しないという点である。このため医療介護者は、患者の治療に関する意思決定の根拠となるモニタリング装置から、その患者の状態の限定的な状況しか得られない。よって、医療介護者にとっては、追加の時間をかけて他の患者記録（例えば紙のファイル）を確認することなしに、モニタリング装置上に表示された患者データに基づいて臨床的意思決定を行うことは困難であり得る。この追加の時間をかけることは、患者の治療に悪影響を及ぼす可能性があり、特に外傷性脳損傷患者に関する状況などの救命医療においては、治療の遅れにより損傷が大幅に悪化するか、あるいは著しい問題を引き起こす可能性がある。更に、そのような検討は頭蓋内圧のみの問題ではなく、他の生理学的パラメータを含む幅広い種類の患者モニタリングモダリティーにも該当する。
【発明の概要】
【発明が解決しようとする課題】
【０００５】
したがって、患者の医学的パラメータをモニタリング及び表示するための改良された方法、システム及び装置のニーズが依然として存在する。
【課題を解決するための手段】
【０００６】
患者の医学的パラメータをモニタリング及び表示するための方法、システム及び装置が提供される。一実施形態において、ディスプレイ画面及びプロセッサを含むシステムが提供される。このプロセッサは、ある時間にわたって患者から測定された生理学的パラメータの複数の値を受け取り、その受け取った値に基づいて現在値がその生理学的パラメータの正常範囲内であるかどうかを判定し、その現在値が正常範囲内でないと判定された場合にはディスプレイ画面上にアラームインジケータを表示させ、その現在値が生理学的パラメータの目標範囲内であるかどうかを判定し、その現在値がその目標範囲内であると判定された場合にはディスプレイ画面上に目標インジケータを表示させるよう、構成されている。この目標範囲は、正常範囲内に入れ子になっている。アラームインジケータは、現在値が正常範囲内であると判定された場合にはディスプレイ画面上に表示されない。目標インジケータは、現在値が目標範囲内ではないと判定された場合にはディスプレイ画面上に表示されない。この生理学的パラメータは、頭蓋内圧（ＩＣＰ）、脳潅流圧（ＣＰＰ）、平均動脈血圧（ＭＡＰ）、酸素飽和度（ｐＯ２）、心拍数、及び温度のうち少なくとも１つであり得る。
【０００７】
別の一態様において、方法が提供される。一実施形態において、この方法は、ある時間にわたって患者から測定された生理学的パラメータの複数の値を受け取ること、その受け取った値に基づく現在値がその生理学的パラメータの正常範囲内であるかどうかを判定することと、その現在値が正常範囲内でないと判定された場合にはディスプレイ画面上にアラームインジケータを表示させることと、その現在値が生理学的パラメータの目標範囲内であるかどうかを判定することと、その現在値がその目標範囲内であると判定された場合にはディスプレイ画面上に目標インジケータを表示させることと、を含む。この目標範囲は、正常範囲内に入れ子になっている。アラームインジケータは、現在値が正常範囲内であると判定された場合にはディスプレイ画面上に表示されない。目標インジケータは、現在値が目標範囲内ではないと判定された場合にはディスプレイ画面上に表示されない。
【０００８】
この方法は、任意の数の方法に変えることができる。例えば、目標インジケータをディスプレイ画面上に表示させることは、そのディスプレイ画面の第１部分に示される色を変化させることを含むことができる、及び、アラームインジケータをディスプレイ画面上に表示させることは、そのディスプレイ画面の第２部分に示される色を変化させることを含む。別の一例として、生理学的パラメータは、ＩＣＰ、ＣＰＰ、ＭＡＰ、ｐＯ２、心拍数、及び温度のうちの少なくとも１つであり得る。
【０００９】
この方法は、複数の値が所定のパターンに一致しているかどうかを判定することが含み得る。たとえ現在値が目標範囲内であることが判定されていても、複数の値が所定のパターンに一致しないと判定された場合には、目標インジケータはディスプレイ画面上に表示できない。所定のパターンは、正常範囲の上限に向かって連続的に増加する複数の値、及び正常範囲の下限に向かって連続的に減少する複数の値のうち少なくとも１つを含み得る。複数の値の個数は、所定の個数であり得る。
【００１０】
ディスプレイ画面は、ハウジングに取り付けることができる。いくつかの実施形態において、現在値が正常範囲内であるかどうかを判定すること、アラームインジケータを表示させること、現在値が目標範囲内であるかどうかを判定すること、及び、目標インジケータを表示させることは、ハウジング内に配置されるプロセッサによって実施することができる。いくつかの実施形態において、現在値が正常範囲内であるかどうかを判定すること、アラームインジケータを表示させること、現在値が目標範囲内であるかどうかを判定すること、及び、目標インジケータを表示させることが、ハウジングから遠く離れて配置されるプロセッサによって実施することができる。
【００１１】
実行時にこの方法を実施することができるプログラムをそれ自体に保存する、コンピュータ読み取り可能な媒体が提供され得る。
【００１２】
別の一実施形態において、方法には、ある時間にわたって生理学的パラメータの値を表すデータを受け取ることが含まれる。この生理学的パラメータは患者から測定される。この方法には更に、受け取り値に基づく現在値をモニタリング画面上に表示することと、その現在値が生理学的パラメータの目標範囲内であるかどうかを判定することと、が含まれる。目標範囲は、所定上限及び所定下限を有する。現在値がその目標範囲内にあると判定された場合には、現在値が目標範囲内であることを示す視覚的目標インジケータをモニタリング画面上に表示させる。現在値が目標範囲内にないと判定された場合には、目標インジケータはモニタリング画面上に表示されない。この方法は更に、現在値が生理学的パラメータの正常範囲内であるかどうかを判定することも含み得る。この正常範囲は、目標範囲の所定上限よりも大きい所定上限と、目標範囲の所定下限よりも小さい所定下限とを有する。現在値がその正常範囲外にあると判定された場合には、現在値が正常範囲外であることを示す視覚的アラームインジケータをモニタリング画面上に表示させる。現在値が正常範囲内であると判定された場合には、アラームインジケータはモニタリング画面上に表示されない。いくつかの実施形態において、生理学的パラメータは、ＩＣＰ、ＣＰＰ、ＭＡＰ、ｐＯ２、心拍数、及び温度のうちの少なくとも１つであり得る。
【００１３】
この方法は、任意の数のバリエーションを有することができる。例えば、視覚的目標インジケータをモニタリング画面上に表示させることは、現在値に隣接するモニタリング画面の第１部分に表示される色を変化させることを含み得、かつ視覚的アラームインジケータをモニタリング画面上に表示させることが、現在値に隣接するモニタリング画面の第２部分に表示される色を変化させることを含み得る。別の一例において、アラームインジケータがモニタリング画面上に表示されている場合には、目標インジケータがモニタリング画面上に表示することはできず、かつ目標インジケータがモニタリング画面上に表示されている場合には、アラームインジケータをモニタリング画面上に表示することはできない。更に別の一例において、この方法は、目標インジケータがモニタリング画面に表示されているかどうかをモニタリング画面上で連続的に更新するように、現在値が目標範囲内かどうかを判定することを連続的に繰り返すことと、アラームインジケータがモニタリング画面に表示されているかどうかをモニタリング画面上で連続的に更新するように、現在値が正常範囲内かどうかを判定することを連続的に繰り返すことと、を含み得る。別の一例において、この方法には、ある時間にわたって、第２の生理学的パラメータの値を表すデータを受け取ることと、ある時間にわたる第２の生理学的パラメータの現在値に基づいて、目標範囲の所定上限と目標範囲の所定下限のうちの少なくとも１つを変更することと、含み得る。第２の生理学的パラメータは、患者から測定され得る。別の一例において、この方法は、目標範囲の所定上限と目標範囲の所定下限とを示す手動のユーザ入力に応答して、目標範囲の所定上限と目標範囲の所定下限とを設定すること、を含み得る。更に別の一例において、この方法は、生理学的パラメータの典型的な正常範囲に基づいて、目標範囲の所定上限と目標範囲の所定下限とを予めプログラミングすること、を含み得る。
【００１４】
いくつかの実施形態において、この方法は、経時的な１つ又は２つ以上の追加の生理学的パラメータを表すデータを受け取ること、を含み得る。１つ又は２つ以上の追加の生理学的パラメータはそれぞれ、患者から測定され得る。この方法は、ある期間にわたって１つ又は２つ以上の追加の生理学的パラメータのそれぞれの現在値のグラフック表示を、モニタリング画面に表示することと、１つ又は２つ以上の追加の生理学的パラメータのそれぞれの現在値が、１つ又は２つ以上の追加の生理学的パラメータのそれぞれの対応する目標範囲内にあるかどうかを判定することと、を含み得る。対応する目標範囲のそれぞれは、所定上限及び所定の下限を含み得る。１つ又は２つ以上の追加の生理学的パラメータのいずれかの現在値が、それに関連する目標範囲内にあると判定された場合には、その現在値が目標範囲内であることを示す視覚的目標インジケータをモニタリング画面上に表示させることができる。１つ又は２つ以上の追加の生理学的パラメータの目標インジケータは、その関連する現在値が関連する目標範囲外であると判定された場合は、モニタリング画面に表示させることはできない。この方法は、１つ又は２つ以上の追加の生理学的パラメータのそれぞれの現在値が、１つ又は２つ以上の追加の生理学的パラメータのそれぞれの対応する正常範囲内にあるかどうかを判定すること、を更に含む。対応する正常範囲のそれぞれが、それに関連する目標範囲の所定上限より大きい所定上限と、その目標範囲の所定下限より小さい所定下限とを有し得る。１つ又は２つ以上の追加の生理学的パラメータのいずれかの現在値が、それに関連する正常範囲外にあると判定された場合には、その現在値が正常範囲外であることを示す視覚的アラームインジケータをモニタリング画面上に表示させることができる。１つ又は２つ以上の追加の生理学的パラメータのアラームインジケータは、それに関連する現在値がそれに関連する正常範囲内であると判定された場合には、モニタリング画面に表示させることはできない。
【図面の簡単な説明】
【００１５】
本発明は、以下の詳細な説明を付属の図面と併せ読むことでより完全な理解がなされるであろう。
【図１】（先行技術）モニタリング装置の概略図である。
【図２】装置のディスプレイ上でユーザインタフェースを提供するための装置の一実施形態の概略図である。
【図３】医療用モニタリングシステムのモニタウィンドウの一実施形態であり、このモニタウィンドウが、複数の生理学的パラメータの現在情報を示している。
【図４】生理学的パラメータのサブセットについての現在情報を含む、図３のモニタウィンドウを示す。
【図５】生理学的パラメータの別のサブセットについての現在情報を含む、図３のモニタウィンドウを示す。
【図６】生理学的情報の１つに関する脳室ドレナージが開放状態であることの指示を含む、図３のモニタウィンドウを示す。
【図７】生理学的パラメータの１つであるＩＣＰについてのアラームを含む、図３のモニタウィンドウを示す。
【図８】生理学的パラメータのサブセットについてのアラームを含む、図５のモニタウィンドウを示す。
【図９】生理学的パラメータの１つであるＩＣＰについてのアラーム了解を含む、図７のモニタウィンドウを示す。
【図１０】生理学的パラメータの１つであるＩＣＰについての目標インジケータを含む、図３のモニタウィンドウを示す。
【図１１】生理学的パラメータのサブセットについての目標インジケータを含む、図５のモニタウィンドウを示す。
【図１２】生理学的パラメータの１つである酸素飽和度についての目標インジケータを含む、図１０のモニタウィンドウを示す。
【図１３】生理学的パラメータである平均動脈圧／血圧及び心拍数のアラームを含む、図１２のモニタウィンドウを示す。
【図１４】図３の医療用モニタリングシステムのハイブリッドウィンドウの一実施形態であり、このハイブリッドウィンドウは、複数の生理学的パラメータの現在情報、及び、生理学的パラメータのサブセットについてのトレンド情報を示している。
【図１５】生理学的パラメータの別のサブセットについての現在情報を含む、図１４のハイブリッドウィンドウを示す。
【図１６】生理学的パラメータの１つであるＩＣＰについてのアラームを含む、図１４のハイブリッドウィンドウを示す。
【図１７】生理学的パラメータの１つであるＩＣＰについてのアラーム了解を含む、図１６のハイブリッドウィンドウを示す。
【図１８】生理学的パラメータの１つである酸素飽和度についての目標インジケータを含む、図１４のハイブリッドウィンドウを示す。
【図１９】生理学的パラメータの１つである酸素飽和度についての目標インジケータを含む、図１７のハイブリッドウィンドウを示す。
【図２０】医療用モニタリングシステムがドッキングされていないときの図１８のハイブリッドウィンドウを示す。
【図２１】医療用モニタリングシステムがドッキングされていないときの図３のモニタウィンドウを示す。
【発明を実施するための形態】
【００１６】
本明細書で開示される装置並びに方法の構造、機能、製造、及び使用の原理の全体的な理解が与えられるよう、特定の例示的実施形態について以下に説明する。これらの実施形態の１つ以上の例を添付図面に示す。当業者であれば、本明細書に詳細に述べられ、添付の図面に示される装置及び方法は非限定的な例示的実施形態であり、本発明の範囲は特許請求の範囲によってのみ定義されることは認識されるところであろう。１つの例示的な実施形態との関連において例示又は説明された特徴は、他の実施形態の特徴と組み合わせることができる。このような修正及び変形は、本発明の範囲に含まれることが意図される。
【００１７】
更に、本開示においては、各実施形態の同様の参照符合を付した構成要素は、同様の特徴部を概ね有するものであり、したがって特定の一実施形態内では、同様の参照符合を付したそれぞれの構成要素のそれぞれの特徴部について必ずしも完全に説明することはしない。加えて、直線状又は円形の寸法が、開示されたシステム、デバイス、及び方法の説明で使用される限りにおいて、このような寸法は、このようなシステム、デバイス、及び方法と共に使用され得る形状のタイプを限定しようとするものではない。当業者であれば、任意の幾何学的形状についてこうした直線的及び円形の寸法に相当する寸法を容易に決定することが可能である点は認識されるところであろう。システム及びデバイス、並びにその構成要素の寸法及び形状は、少なくとも、そこでシステム及びデバイスが使用されるであろう被験者の解剖学的構造、それと共にシステム及びデバイスが使用されるであろう構成要素の寸法及び形状、並びにそこでシステム及びデバイスが使用されるであろう方法及び手順に基づくことができる。
【００１８】
患者の医学的パラメータをモニタリング及び表示するための方法、システム及び装置が提供される。一般に、この方法、システム、及び装置は、例えば患者が病院又はその他の医療施設で治療を受けていて、患者の状態を定常的に観察する必要がある場合に、患者のモニタリングを促進することができる。この方法、システム、及び装置は、患者の１つ又は２つ以上の生理学的パラメータを表示及びモニタリングすることを可能にする。このモニタリング及び表示は、例えば投薬の投与、酸素の投与、インプラントされている医療用装置の１つ又は２つ以上の設定の調節、挙上されている四肢の位置の調節、追加の水分補給、別の病棟への移動といった、医師の評価を必要とし得る及び／又は患者の治療の調節を必要とし得るような患者の状態変化を識別するのを促進することができる。一般に、当業者には理解されるように、患者の状態変化を検出できる時期が早ければ早いほど、その変化を評価し効果的に対処するために医療関係者はより多くの時間を得ることになる。本明細書に記述される方法、システム及び装置は、患者の状態変化の迅速な検出及び識別を促進し、これにより迅速で効果的な患者治療を促進することができる。
【００１９】
一実施形態において、表示は、患者から測定される生理学的パラメータに関する情報を含むディスプレイ画面を示すよう構成することができる。この情報は、ある期間にわたって患者から収集された生理学的パラメータの値に基づく現在値が含み得る。現在値の例としては、収集された値の平均、計算された指数の平均（例えば、収集されたピーク値の平均、収集された値の変化率の平均など）、収集された値の中央値、収集された値の変化率、相関関係（例えばＰＲｘ、ＲＡＰ指数、自己相関、自己相関の平均など）、収集された値の最大値、収集された値の最小値、二乗平均平方根（ＲＭＳ）、ピーク間値などが挙げられる。ディスプレイ画面は、現在値がその生理学的パラメータの所定正常範囲内であるかどうかを示すことができる。正常範囲は一般に、例えば、患者が安定していて緊急な評価及び／又は治療変更が必要のない場合など、懸念の原因ではない生理学的パラメータの値を指し得る。現在値が正常範囲外になった場合、例えば正常範囲の下限より下がるか、正常範囲の上限を上回った場合、アラームがトリガされ得る。アラームは、１つ又は２つ以上の任意のアラームを含み得、例えばディスプレイ画面に表示される点滅記号、ディスプレイ画面上の色変化、ディスプレイ画面近くの照明点灯、患者及びディスプレイ画面のある部屋の外にあるナースステーションでの可聴音声、主治医の呼び出し等が挙げられる。
【００２０】
ディスプレイ画面は、現在値がその生理学的パラメータの所定目標範囲内であるかどうかを更に示すことができる。目標範囲は概ね、生理学的パラメータが正常範囲内で最適に安定化されることを反映する正常範囲内の値の標的範囲を指し得る。目標範囲はよって、正常範囲内に完全に包含され得、例えば目標範囲は正常範囲を限定し得るものである。よって、正常範囲と目標範囲が協調して、その患者の生理学的パラメータのより完全な状況をディスプレイ画面に提供することができる。
【００２１】
ディスプレイ画面は、その画面上に目標インジケータを表示することによって、現在値が目標範囲内であるかどうかを示すことができる。目標インジケータは、画面上に表示された現在値に隣接させることができ、例えば、ディスプレイ画面内の色コントラストの高い部分、ディスプレイ画面に表示される記号、ディスプレイ画面近くの点灯光などであり得る。現在値が目標範囲外になった場合、例えば目標範囲の下限より下がるか、目標範囲の上限を上回った場合、アラームがトリガされ得る。例示的な一実施形態において、目標アラームは、ディスプレイ画面から目標インジケータを除去することを含み得る。このようにすることで、担当看護師及び／又は他の医療関係者がディスプレイ画面を見て、その患者の生理学的パラメータが目標範囲内であるかどうかを、その目標インジケータの有無に基づいて迅速に判定することができる。目標インジケータを見て、患者の生理学的パラメータが目標範囲内にあることを知ることにより、担当看護師及び／又は他の医療関係者は、その生理学的パラメータが、担当看護師及び／又は他の医療関係者が患者の状態を検査又は他の方法で評価する必要を反映しているものではないことを、確認することができる。同様に、目標インジケータがディスプレイ画面に示されていない場合には、例えば、ディスプレイ画面上の生理学的パラメータの現在の数値をチェックすることにより、患者の現在の評価を行うことによって（例えば温度、血圧など）、ディスプレイ画面に表示される他の情報をチェックすることなどによって、担当看護師及び／又は他の医療関係者はその患者に介入が必要であり得ることを迅速に判断でき、かつその結果として患者の状態を詳しく調べるよう迅速に決定することができる。このようにして、担当看護師及び／又は他の医療関係者は、ディスプレイ画面を見ることにより、かつ実際のパラメータ数値を評価する必要がなく、例えば、担当看護師及び／又は他の医療関係者がその患者の状態を識別するのに、数値を知る又は評価する必要はなく、患者の状態を迅速に評価することができる。このようにして患者を迅速に評価することにより、担当看護師及び／又は他の医療関係者が、他の業務（例えば別の患者のチェックに移る）を実施することが可能になり、かつ／又は、患者の状態が更に悪化する前に、例えば、生理学的パラメータの平均が正常範囲外に出る可能性が生じる前に、患者が治療を受けることが可能になる。
【００２２】
目標インジケータは、ディスプレイ画面上で、例えば大きな表示及び／又は高い色コントラストにより、離れたところから十分に視覚的に認識可能なものであり得る。したがって、目標インジケータが部屋のドアから及び／又は別の比較的に離れた距離においても見ることができるので、担当看護師及び／又は他の医療関係者は、医療用モニタを見るときに典型的に行われているほど、ディスプレイ画面に近づく必要がなくなり、かつ／又は、担当看護師及び／又は他の医療関係者は、患者の部屋に入り、患者に近づくことさえ必要がなくなり、及び／又は、生理学的パラメータに関連する患者の状態を評価する必要がなくなる。したがって、他の業務に及び／又は、一刻を争うニーズを伴う患者の治療に時間を費やすことができ、ディスプレイが患者の部屋内にある場合には、部屋の中に立ち入る人の数が減ることにより部屋の混乱を低減でき、及び／又は、ディスプレイが患者の部屋内にある場合には、部屋の中に立ち入る人の数が減ることにより患者の感染症の可能性が低減され得る。目標インジケータは無音にすることができ、これは静かな療養環境を促進することができ、これは一般に、病院又はその他の医療機関のストレスを減らし、及び／又は患者の安静と回復に役立ち得る。
【００２３】
生理学的パラメータは、当業者には理解されるように、患者のモニタリングにより得られる１つ又は２つ以上の任意の変数が含み得る。ディスプレイ画面が複数の生理学的パラメータの現在値を示す場合には、このディスプレイ画面は、生理学的パラメータのひとつ１つがそれ自体の所定正常範囲内にあるかどうかを示すことができ、例えば、生理学的パラメータのいずれか１つがそれに関連する所定正常範囲外になった場合には、アラームをトリガでき、かつ生理学的パラメータのいずれか１つがそれ自体の所定目標範囲内にあるかどうかを示すことができ、例えば、生理学的パラメータのいずれか１つがそれに関連した所定目標範囲外になった場合には、ディスプレイ画面から除去されるように目標インジケータアラームをトリガできる。患者のモニタリングにより得られる１つ又は２つ以上の生理学的パラメータは、医療状況（例えば神経、心臓、新生児など）、利用できる医療用品、医師の意向など、１つ又は２つ以上の要因によって異なり得る。生理学的パラメータの例としては、頭蓋内圧（ＩＣＰ）、平均動脈血圧（ＭＡＰ）、脳潅流（ＣＰＰ）、脳組織内の酸素飽和度（ＰｂＯ２）などの酸素飽和度（ｐＯ２）（これは例えば、侵襲性酸素センサ又はパルスオキシメータを用いることにより取得できる）、心拍数、温度、圧力反応性指数（ＰＲｘ）、圧力−体積補償（ＲＡＰ）指数、インプラント可能な制限デバイス（例えば胃バンドなど）における液圧、インプラント可能なバルブ（例えば脳シャントバルブ）を通る流量、胃のｐＨレベル、ＥＥＧ、組織インピーダンスなどが挙げられる。神経科の状況においては、モニターされる代表的な生理学的パラメータには、ＩＣＰ、ＣＰＰ、ＭＡＰ、ＰｂＯ２、心拍数（ＨＲ）、及び脳温度（Ｔｂ）が挙げられる。
【００２４】
本明細書に記述されるディスプレイは、モニタリング装置、パーソナルコンピュータ、ワークステーション、ハンドヘルドコンピュータ、タブレットコンピュータ、スマートホン、又はその他のコンピュータ関連装置など、事実上あらゆる装置の一部として実現することができる。この装置は、患者からの生理学的データを集めるように構成された１つ又は２つ以上のセンサからデータを受け取るように構成された処理回路を含み得、これは、保存されている所定範囲とセンサーデータを比較するなどの目的で構成され得る。当業者には理解されるように、処理回路から受け取った信号に対応して画面を表示するには、陰極線管（ＣＲＴ）、液晶ディスプレイ（ＬＣＤ）画面、タッチスクリーンなどの幅広い様々な種類のディスプレイが構成され得る。更に、例えばＦｌａｓｈ  Ｍａｃｒｏｍｅｄｉａ又はカスタムソフトウェアを含む、幅広い種類のソフトウェアパッケージが、装置上で実行できる、及び／又は画面及びその他の要素を開発するのに使用できる。
【００２５】
図２は、情報を表示するために構成されたディスプレイ画面を含み得る装置（例えば医療用モニタリング装置）の例示的な一実施形態を示す。装置２００は、本明細書で記述されるような画面を表示するように構成された１つ又は２つ以上のディスプレイ２０２を含み得る。このディスプレイ２０２は、処理回路２０４からの信号を受け取るように構成することができ、この処理回路は、プロセッサ、ビデオカード、及び／又は事実上あらゆるタイプの電子回路を含み得る。この処理回路２０４は、１つ又は２つ以上の入力装置２０６からのデータ（例えば、ユーザー入力、及び／又は１つ又は２つ以上の検出装置２０８からのデータなどを表わす）に対応して適切な画面を描くようにソフトウェアを実行するように構成することができる。この入力装置２０６は、例えばポインティング装置、キーボード、ボタン、マイクロホン、ソフトキー、タッチスクリーンなど、装置２００に対する入力を提供するように構成された装置を含み得る。この入力装置２０６は、装置インタフェース２１０を介して処理回路２０４に通信可能に接続されるように構成され得る。検出装置２０８は、生理学的パラメータを検出しこれを報告するように構成された装置を含み得る。検出装置２０８の例としては、ＩＣＰトランスデューサ、温度センサ、血圧モニタ、パルスオキシメータ、誘発電位などが挙げられる。この検出装置２０６は、装置インタフェース２１２を介して処理回路２０４に通信可能に接続されるように構成され得る。メモリ２１４は、処理回路２０４に接続され、モニタリングソフトウェア、検出装置２０８からのデータ、所定範囲、患者データなどのデータを記憶するように構成することができる。装置２００は、アラーム（例えば視覚アラーム、聴覚アラーム、文字アラームなど）を提供するように構成されたアラーム機構２１６を含み得る。
【００２６】
例示的な一実施形態において、装置２００のハウジング２１８は、ディスプレイ２０２、メモリ２１４、アラーム２１６、処理回路２０４及びインタフェース２１０、２１２を収容することができる、例えばその中に配置してしまうことができる及び／又はそれに取り付けてしまうことができる。このようにして、装置２００は内蔵型装置であり得る。この装置２００は、よって携帯型、ワイヤレスであり得、及び／又は様々な異なる場所において有線電源供給に容易に接続し得る。ハウジング２１８内に含まれる要素は可変である。例えば、図２には別個の装置として示されているが、例えば、ディスプレイ２０２、メモリ２１４、アラーム２１６、処理回路２０４、インタフェース２１０、２１２がその中に配置されているハウジング２１８は含まれていないが、入力装置２０６及び検出装置２０８は、装置２００の中に組み込むことができる、例えばハウジング２１８の中に含めることができる。加えて、ディスプレイ２０２は装置２００に組み込まれているとして、例えばハウジング２１８に取り付けられているとして、図２に示されているが、１つ又は２つ以上のディスプレイ２０２を、装置２００とは別にすることができる。
【００２７】
図３は、患者に関連する医療情報を表示するように構成されたモニタリング装置のディスプレイ画面３００の例示的な一実施形態を示す。ディスプレイ画面３００は全般に、医療用モニタリングシステムのユーザインタフェースとして構成され得る。ディスプレイ画面３００は複数のタブを含み得、これらのタブのそれぞれは、患者に関する情報の特定のタイプ又は配列に対応し得る。ディスプレイ画面は、患者に関する情報の１つ又は２つのタイプ又は配列のみを表示するように構成することができ、この場合、ディスプレイ画面はタブを含まなくともよい。タブのそれぞれは、タブに対応する情報タイプ又は配列を表示するようにユーザにより選択されるように構成することができる。例示された実施形態において、ディスプレイ画面３００は、モニタタブ３０２、ハイブリッドタブ３０４、トレンドタブ３０６、及び将来タブ３０８を含むが、ディスプレイ画面３００は、４つより多い又は少ないタブを含む。ディスプレイ画面３００にモニタウィンドウ３１０を示すように図３ではモニタタブ３０２が選択されている。後で詳しく検討されるように、ハイブリッドウィンドウ、トレンドウィンドウ、及び将来ウィンドウをそれぞれディスプレイ画面３００上に表示させるように、ハイブリッドタブ３０４、トレンドタブ３０６、及び将来タブ３０８をそれぞれ選択することができる。
【００２８】
モニタウィンドウ３１０は、現在時間において１つ又は２つ以上の生理学的パラメータに基づいた情報を表示するように構成することができる。現在時間は、デフォルトの、予めプログラミングされた、例えば、プロセッサに予めプログラミングされた、所定の時間長さであってよく、又は特定の患者についてカスタマイズさせることができる。現在時間は、例えば、約５〜６０秒の範囲、約５〜１０秒の範囲、患者の１回の心拍数、直近の数回の心拍数などであり得る。現在時間は調節可能であり得る。いくつかの実施形態において、この種のユーザ入力を受け取るために、この医療用モニタリング装置は、タッチスクリーン、キーパッド、タッチパッド、ポインティング装置、マウス、ボタン、ノブ、ダイヤルなどの入力装置を含むか、又はこれらに接続するよう構成することができる。例示された実施形態のように、ディスプレイ画面３００は、ユーザが介護者のプリファランスメニュー又はソフトボタン３１２を有効にしたときに現在時間を調節することが可能なように構成されているタッチスクリーンを含み得る。現在時間の調節により、様々な臨床プロトコルが可能になる。これは、そのようなプロトコルはさまざま異なる時間にわたってパラメータの追跡が必要であり得るからである。様々な生理学的パラメータのトレンド時間、将来時間、正常範囲、及び目標範囲は、後で詳しく検討されるように、同様に調節可能である。
【００２９】
例示された実施形態において、モニタウィンドウ３１０は、ＩＣＰ、ＭＡＰ／ＢＰ、ＨＲ、「ＩＣＰ  ２：ＥＶＤ」として表示されている脳室ドレナージ（ＥＶＤ）ＩＣＰ（例えば、ＥＶＤシステムに接続された排液連結センサ（external fluid coupled sensor）で実施されるＩＣＰ測定）、ＣＰＰ、ＰｂＯ２、及びＴｂの現在情報を表示しているが、上述のように、１つ又は２つ以上の任意のパラメータをモニタ及び／又は計算することができ、生理学的パラメータに基づく１つ又は２つ以上の任意のタイプの現在値に関する情報を、モニタウィンドウ３１０に表示させることができる。表示される情報は、当業者には理解されるように、様々な方法の任意のものでモニタリング装置が受け取るデータに基づくことが可能であり、例えば患者に取り付けられたＣｏｄｍａｎ  Ｍｉｃｒｏｓｅｎｓｏｒ  ＩＣＰ  Ｔｒａｎｓｄｕｃｅｒ（Ｃｏｄｍａｎ  ＆  Ｓｈｕｒｔｌｅｆｆ、Ｉｎｃ．（Ｒａｙｎｈａｍ、ＭＡ）から入手可能）、Ｉｎｔｅｇｒａ  Ｃａｍｉｎｏ（登録商標）ＩＣＰ  Ｔｒａｎｓｄｕｃｅｒ（Ｉｎｔｅｇｒａ  ＬｉｆｅＳｃｉｅｎｃｅｓ  Ｃｏｒｐｏｒａｔｉｏｎ（Ｐｌａｉｎｓｂｏｒｏ、ＮＪ）から入手可能）、血圧モニタ、温度センサなどを介することができる。
【００３０】
生理学的パラメータそれぞれについて、モニタウィンドウ３１０は、現在時間にわたるパラメータ情報のテキスト表示、及び／又は、現在時間にわたるパラメータ情報のグラフィック表示を示すよう構成することができる。例示された実施形態において、モニタウィンドウ３１０は、ＩＣＰのテキスト表示３１４及びグラフィック表示３１６、ＭＡＰ／ＢＰとＨＲのテキスト表示３１８及びグラフィック表示３２０、ＥＶＤ  ＩＣＰのテキスト表示３２２及びグラフィック表示３２４、ＣＰＰのテキスト表示３２６、ｐｂＯ２のテキスト表示３２８、及びＴｂのテキスト表示３３０を含む。生理学的パラメータのうちの１つ又は２つ以上のいずれかをテキスト表示のみにし、いずれかをグラフィック表示のみにし、又はテキスト表示とグラフィック表示の両方にするかは、例えばタッチスクリーン上で表示をドラッグ・アンド・ドロップすることにより、又はプリファレンスボタン３１２をオンにすることにより、ユーザが調整することができる。
【００３１】
いくつかの例において、例えば、特定の生理学的パラメータの検出装置が患者に取り付けられていない場合には、又は患者に取り付けられている特定の生理学的パラメータの検出装置が、ディスプレイ画面３００上に表示されるようデータを処理するプロセッサに電子的に接続されていない場合などには、特定の生理学的パラメータについてデータが受け取られない場合がある。１つ又は２つ以上の生理学的パラメータについてデータが受け取られない場合には、これらの１つ又は２つ以上の生理学的パラメータに関するテキスト表示及びグラフィック表示は、モニタウィンドウ３１０からなくすことができ、これらの１つ又は２つ以上の生理学的パラメータに関するテキスト表示及びグラフィック表示を両方ともモニタウィンドウ３１０に表示させることができるが数値又はグラフデータは欠けた状態にすることができ、あるいは、これらの１つ又は２つ以上の生理学的パラメータに関するテキスト表示及びグラフィック表示のうちの１つはモニタウィンドウ３１０からなくすことができる一方、１つ又は２つ以上の生理学的パラメータに関するテキスト表示及びグラフィック表示のうちのもう一方は、モニタウィンドウ３１０に表示させることができる。これらの１つ又は２つ以上の生理学的パラメータに関するテキスト表示及びグラフィック表示のうちの少なくとも１つをモニタウィンドウ３１０に表示させることによって、モニタ画面３１０を観察しているユーザは、そのグラフィック表示及び／又はテキスト表示におけるデータの欠落に基づき、１つ又は２つ以上のパラメータがモニタされていないこと、あるいは１つ又は２つ以上のパラメータの検出装置が適切に構成されていないことを、より容易に判定することができる。これらの１つ又は２つ以上のパラメータについて提示されるテキスト表示及び／又はグラフィック表示はそれぞれ、少なくとも１つのデータ欠落インジケータ（例えば、テキストメッセージ、警告記号など）を含むことができ、これによりデータが受け取られていないことを示すことができる。
【００３２】
図４は、複数の生理学的パラメータ（例えば、ＩＣＰ、ＭＡＰ／ＢＰ及びＨＲ、並びにＣＰＰ）についてデータを受け取られており、別の複数の生理学的パラメータ（ＥＶＤ  ＩＣＰ、ＰｂＯ２、及びＴｂ）についてはデータを受け取られていない、モニタウィンドウ３１０の一例を示す。この例示された実施形態において、モニタウィンドウ３１０はＥＶＤ  ＩＣＰ、ＰｂＯ２、及びＴｂのグラフィカル表示を欠いており、ＥＶＤ  ＩＣＰ、ＰｂＯ２、及びＴｂについてのテキスト表示３２２、３２８、３３０における数値データを欠いている。例示された実施形態において、ＥＶＤ  ＩＣＰ、ＰｂＯ２、及びＴｂについてのテキスト表示３２２、３２８、３３０はそれぞれの、テキストメッセージの形態でのデータ欠落インジケータ「接続なし」がＥＶＤ  ＩＣＰ及びＴｂの表示３２２、３３０に含まれ、「インストールなし」がＰｂＯ２表示３２８に含まれている。
【００３３】
図５は、１つの生理学的パラメータ（例えばＩＣＰ）についてデータを受け取られており、別の複数の生理学的パラメータ（ＭＡＰ／ＢＰ及びＨＲ、ＣＰＰ、ＥＶＤ  ＩＣＰ、ＰｂＯ２、並びにＴｂ）についてはデータを受け取られていない、モニタウィンドウ３１０の一例を示す。この例示された実施形態において、モニタウィンドウ３１０はＭＡＰ／ＢＰ及びＨＲ、ＣＰＰ、ＥＶＤ  ＩＣＰ、ＰｂＯ２、並びにＴｂのグラフィカル表示を欠いており、ＭＡＰ／ＢＰ及びＨＲ、ＣＰＰ、ＥＶＤ  ＩＣＰ、ＰｂＯ２、並びにＴｂについてのテキスト表示３２０、３２２、３２６、３２８、３３０における数値データを欠いている。例示された実施形態において、ＭＡＰ／ＢＰ及びＨＲ、ＣＰＰ、ＥＶＤ  ＩＣＰ、ＰｂＯ２、並びにＴｂそれぞれのテキスト表示３２０、３２２、３２６、３２８、３３０には、テキストメッセージの形態でのデータ欠落インジケータ「接続なし」がＭＡＰ／ＢＰ及びＨＲ、ＥＶＤ  ＩＣＰ、ＣＰＰ並びにＴｂの表示３２０、３２２、３２６、３３０に含まれ、「インストールなし」がＰｂＯ２表示３２８に含まれている。
【００３４】
図３を参照して、生理学的パラメータ毎のテキスト表示は、現在時間にわたるその生理学的パラメータの数値データを含み得、各生理学的パラメータのグラフィック表示は、現在時間にわたるその生理学的パラメータの数値データのグラフィカル図示を含み得る。検討を容易にするために、ＩＣＰのテキスト表示３１４及びグラフィック表示３１６を、モニタウィンドウ３１０に表示される生理学的パラメータのテキスト表示及びグラフィック表示の代表的な例として以下に検討する。モニタウィンドウ３１０に表示される他の生理学的パラメータのテキスト表示及びグラフィック表示も、同様に構成することができる。加えて、ＩＣＰはｍｍＨｇ単位でＩＣＰテキスト表示３１４及びグラフィック表示３１６に示されているが、ＩＣＰは任意の好適な単位で表示することができる。同様に、モニタウィンドウ３１０に示されている他の生理学的パラメータは、任意の好適な単位で表示することができる。
【００３５】
グラフィック表示３１６は、現在時間にわたってプロットされた波形又は線グラフ３３２で、ＩＣＰをグラフィカルに表わし得る。ただし、線グラフ、棒グラフ、分離データ点プロット、及び／又はその他の図示表示など、事実上あらゆるグラフィック表現を使用することができる。例示された実施形態におけるグラフィック表示３１６は、線グラフ３３２により、現在時間にわたって収集され及び／又は計算されたＩＣＰ値をプロットしている。ただし、グラフィック表示３１６は、ＩＣＰに基づく他の統計値（例えばサンプル期間（例えば２〜３秒毎）にわたって計算された生理学的パラメータの平均値、中央値、正規化値、心臓収縮期値、拡張期値、波形振幅など）を、（グラフ線及び／又は他の絵図表示によって）示すことができる。例示的な一実施形態において、例示された実施形態のようにモニタウィンドウ３１０が複数の生理学的パラメータの情報を示す場合には、それぞれのパラメータについて同じ統計がモニタウィンドウ３１０に示され、これにより、表示されている情報を迅速に識別及び理解するのを促進する。
【００３６】
テキスト表示３１４は、ＩＣＰをテキスト及び／又は絵図的に表わすことができる。例示された実施形態において、テキスト表示３１４は、現在時間にわたって収集され及び／又は計算されたＩＣＰ値の平均に関する情報を含み、これには現在の平均（例えば、現在の平均頭蓋内圧）、実際の現在値（例えば、ごく最近に測定及び／又は計算されたＩＣＰ値）、現在の平均の正常範囲、及び現在の平均の目標範囲が挙げられる。例示された実施形態において、ＩＣＰに関する現在値は、収集された値の平均であるが、上述のように、収集された値の平均の代わりに又はこれに加えて他の現在値を表示することができ、例えば、計算された指数の平均（例えば、収集されたピーク値の平均、収集された値の変化率の平均など）、収集された値の中央値、収集された値の変化率、相関関係（例えばＰＲｘ、ＲＡＰ指数、自己相関、自己相関の平均など）、収集された値の中の最大値、収集された値の中の最小値、二乗平均平方根（ＲＭＳ）、ピークピーク値が挙げられる。
【００３７】
現在値の平均は、テキスト及び／又はグラフィックで示すことができる。例示された実施形態において、現在値の平均は数値３３４でテキスト表示されている。例示された実施形態における平均ＩＣＰ値は１．９９ｋＰａ（１５ｍｍＨｇ）である。当業者には理解されるように、モニタウィンドウ３１０に示される数値３３４は、正確な平均値とすることができる、若しくは丸めた値、例えば（例示された実施形態のように）最寄りの整数に四捨五入、小数点以下１桁に四捨五入、小数点以下２桁に四捨五入した値、などとすることができる。
【００３８】
実際の現在値は、テキスト及び／又はグラフィックで示すことができる。例示された実施形態において、現在の実際の値は、正常範囲スケールの上及び／又はその近くに、現在値マーク３３６と共にグラフィカルに表示されている。正常範囲スケールに沿った現在値マークの位置は、実際の現在値の数値を示し得る。例示された実施形態における現在のＩＣＰ値は０．９３ｋＰａ（７ｍｍＨｇ）である。
【００３９】
正常範囲は、テキスト及び／又はグラフィックで示すことができる。例示された実施形態において、正常範囲は、正常範囲スケールでグラフィカルに示されている。正常範囲スケールは、正常範囲の所定上限に対応する正常範囲上限３４０と、正常範囲の所定下限に対応する正常範囲下限３４２とを有し得る。例示された実施形態において、ＩＣＰの正常範囲上限３４０は３．９９ｋＰａ（３０ｍｍＨｇ）、ＩＣＰの正常範囲下限３４２は−１．３３ｋＰａ（−１０ｍｍＨｇ）である。正常範囲は、典型的な患者の正常範囲に基づいて予め決定することができ、システムに予めプログラミングすることができる。あるいは、正常範囲は、患者に対してカスタマイズすることにより予め決定することができ、例えばその患者を治療する医師が決定し、ディスプレイを含むシステムに入力することができる。例示的な一実施形態において、正常範囲は、典型的な患者の正常範囲としてシステムに予めプログラミングることができ、これにより、典型的な患者の正常範囲をデフォルトの正常範囲として設定することができる。例を挙げると、ＩＣＰの典型的な正常範囲は約０〜２．６７ｋＰａ（０〜２０ｍｍＨｇ）、ＣＰＰの典型的な正常範囲は約６．６７〜１９．９ｋＰａ（５０〜１５０ｍｍＨｇ）、Ｔｂの典型的な正常範囲は約３６〜３７．５℃、及びＭＡＰの典型的な正常範囲は約９．３３〜１４．７ｋＰａ（７０〜１１０ｍｍＨｇ）である。正常範囲は所望により、例えばプリファレンスボタン３１２をオンにすることにより、ユーザによって再調節可能であり、例えば患者に対してカスタマイズすることができる。例示的な一実施形態において、生理学的パラメータのそれぞれが、独自の所定正常範囲を有し得る。所定正常範囲のそれぞれは、互いに独立であり得る。ただし、１つ又は２つ以上の所定正常範囲は、１つ又は２つ以上の他の所定正常範囲によって定義することができ、例えば、ＣＰＰの所定正常範囲は、ＩＣＰの所定正常範囲及びＭＡＰの所定正常範囲に基づいていてもよい。
【００４０】
目標範囲は、テキスト及び／又はグラフィックで示すことができる。例示された実施形態において、目標範囲は目標範囲スケール３４４でグラフィカルに示されている。目標範囲スケール３４４は、例示された実施形態のように、正常範囲スケールの上及び／又はその近くにあってよく、これにより正常範囲と目標範囲の比較を促進でき、及び／又は、現在のＩＣＰ値（現在値マーク３３６によって示されている）を正常範囲及び目標範囲との同時比較を促進できる。正常範囲スケールに沿った目標範囲マークの位置は、目標範囲を指示し得る。目標範囲はまた、例示された実施形態において、目標範囲の所定上限に対応する目標上限３４６、及び目標範囲の所定下限に対応する目標下限３４８として、テキストでも示されている。例示された実施形態において、ＩＣＰの目標上限３４６は１．８７ｋＰａ（１４ｍｍＨｇ）、ＩＣＰの目標下限３４８は１．０７ｋＰａ（８ｍｍＨｇ）である。この目標範囲は、典型的な患者の正常範囲内の最適範囲に基づいて予め決定することができ、システムに予めプログラミングすることができる。例を挙げると、ＩＣＰの所定目標範囲は約０．６７〜１．９９ｋＰａ（５〜１５ｍｍＨｇ）、ＣＰＰの所定目標範囲は約９．３３〜１１．９ｋＰａ（７０〜９０ｍｍＨｇ）、Ｔｂの所定目標範囲は約３６．５〜３７．１℃、及びＭＡＰの所定目標範囲は約１０．７〜１３．３ｋＰａ（８０〜１００ｍｍＨｇ）であり得る。あるいは、目標範囲は、患者に対してカスタマイズすることにより予め決定することができ、例えばその患者を治療する医師が決定し、システムに入力することができる。代表的な一実施形態において、目標範囲は、典型的な患者の目標範囲としてシステムに予めプログラミングすることができ、これにより、典型的な患者の目標範囲をデフォルトの目標範囲として設定することができる。目標範囲は所望により、例えばプリファレンスボタン３１２をオンにすることにより、ユーザによって再調節可能であり、例えば患者に対してカスタマイズすることができる。図示されている通り、目標範囲は正常範囲内に入れ子になっていてよく、例えば正常範囲内に全体が収まっていてよい。換言すれば、目標範囲の上限３４６は正常範囲の上限３４０よりも低い値であり得、目標範囲の下限３４８は正常範囲の下限３４２よりも高い値であり得る。
【００４１】
例示的な一実施形態において、生理学的パラメータのそれぞれが、独自の所定目標範囲を有し得る。所定目標範囲のそれぞれは、互いに独立であり得る。ただし、１つ又は２つ以上の所定目標範囲は、１つ又は２つ以上の他の所定目標範囲によって定義することができ、例えば、ＣＰＰの所定目標範囲は、ＩＣＰの所定目標範囲及びＭＡＰの所定目標範囲に基づいていてもよい。
【００４２】
モニタウィンドウ３１０に示されている１つ又は２つ以上の生理学的パラメータの任意のものについて、テキスト表示及び／又はグラフィック表示は、それぞれの生理学的パラメータに関する他の情報を含み得る。例えば、ここでもＩＣＰを代表的な例として使用し、テキスト表示３１４は、患者からＩＣＰ値を収集するために患者からＩＣＰを検出する検出装置（図示せず）の位置（例えば、左右の実質（組織）、左右の脳室、又は腰）を示す、検出装置位置インジケータ３３８を含み得る。この位置は手動で入力できる。検出装置位置インジケータ３３８は、例示された実施形態においてテキスト表示３１４内に含まれているが、検出装置位置インジケータ３３８はグラフィック表示３１６に含めることもできる。例示された実施形態において、検出装置位置インジケータ３３８は、ＩＣＰを検出する検出装置が、患者の脳の上部分右側に位置していることを示している。別の例において、ＥＶＤ  ＩＣＰのテキスト表示３２２及び／又はグラフィック表示３２４は、ＥＶＤ  ＩＣＰを有するＥＶＤが開頭状態又は閉状態かどうかを、テキスト及び／又はグラフィックで表示することができる。当業者には理解されるように、ＥＶＤのデフォルト状態は典型的に閉状態である。よって図３は、ＥＶＤが開頭状態か閉状態かに関する具体的なテキスト又はグラフィックの表示を提供することなしに、ＥＶＤが閉状態であることを示している。図６は、ＥＶＤが開頭状態であることが示されている実施形態を図示しており、例えば、脳の過剰な脳脊髄液（ＣＳＦ）を軽減するため、ＥＶＤが開頭状態になっている。図６の実施形態において、開頭状態は、ＥＶＤテキスト表示３１４内のテキストＥＶＤ状態インジケータ３５０（「開頭」）で示され、ＥＶＤグラフィック表示３１６内の第２テキストＥＶＤ状態インジケータ３５２（「開頭」）で示され、かつ、ＥＶＤグラフィック表示３１６内の背景陰影の形態でのグラフィックＥＶＤ状態インジケータで示されている。テキストＥＶＤ状態インジケータ３５０、３５２は、他の構成を有し得（例えば「開状態」、「ＥＶＤ開」、「閉」、「ＥＶＤ閉」など）、グラフィックＥＶＤ状態インジケータも他の構成を有し得る（例えば開頭ＥＶＤ装置の図示など）。
【００４３】
再び図３を参照し、ディスプレイ画面３００は、幅広い種類の他の機能を含み得、幅広い種類の他のデータを表示し得る。ディスプレイ画面３００は、タブ３０２、３０４、３０６、３０８のうちどれが現在選択されているかを問わず、ディスプレイ画面３００上にあるように構成されている、１つ又は２つ以上の静的機能を含み得る。例えば、ディスプレイ画面３００は、患者を（例えば名前、番号、コードなどにより）識別する、１つ又は２つ以上の任意の患者ＩＤウィンドウ３５４を含み得る；技術的支援（例えば、ユーザマニュアルへのアクセス、「よくある質問」の検索機能など）を提供するための、ユーザにより作動されるように構成されたヘルプボタン３５６；現在表示されているウィンドウ（図３のモニタウィンドウ３１０）上の情報を一時的に停止又は凍結するための、ユーザにより作動されるように構成された画面ロックボタン３５８（これは、トレーニング目的及び／又は表示の特定の部分を詳しく調べるために有利であり得る）；患者の検出履歴データ及び／又は他の患者記録を提供するための、ユーザにより作動されるように構成された履歴ボタン３６０；現在表示されているウィンドウにマーク付きイベントを入力するため、イベントマーキング画面へのアクセスを提供するための、ユーザにより作動されるように構成された手動入力ボタン３６２；現在表示されているウィンドウ又はその一部を印刷する機能（例えば、取り付けられたプリンタに印刷するか、又は医療用モニタリング装置に組み込まれたプリンタに印刷する機能）を提供するための、ユーザにより作動されるように構成された印刷ボタン３６４；現在の日付／時刻インジケータ３６６；装置が外部電源に接続されているかどうかを示す電源コネクタ３６８；モニタリング装置に含まれている電池の現在の充電状態を示す充電インジケータ３７０；装置がドッキングステーション（例えばベッド脇のドッキングステーション）にドッキングしているかどうかを示す、ドッキングインジケータ３７２；１つ又は２つ以上の生理学的パラメータの平均が限界から外れていること（例えば正常範囲外であるなど）を示す可聴アラームを含むモニタリング装置の実施形態において、可聴アラームに対し承認及び／又はアラームの消音を行うための、ユーザにより作動されるように構成されたアラーム消音ボタン３７４、などを含む。検出履歴データを提供する実施例、及びイベントのマーク付けを行う実施形態の詳細は、米国特許公開第２００９／０００５７０３号「Ｍｅｄｉｃａｌ  Ｍｏｎｉｔｏｒ  Ｕｓｅｒ  Ｉｎｔｅｒｆａｃｅ」（２００７年６月２７日出願）に記述されており、この全体が参照により本明細書に組み込まれる。１つ又は２つ以上の静的機能は、トリガイベントに応答してのみモニタウィンドウ３１０に表示され得る。例えば、アラーム消音ボタン３７４は、範囲限度外状況が判定された場合にのみ表示されるように構成され、ドッキングインジケータ３７２は、ドッキングされていない装置を示す場合にのみ表示されるなどである。
【００４４】
モニタウィンドウ３１０、及びディスプレイ画面３００上に表示され得る他のウィンドウについて、その様々なウィンドウ、記号、テキスト、アイコンなどその相対的な寸法及び位置は、例示的な性質のものである。当業者には、ディスプレイ画面３００の様々なウィンドウ、記号、テキスト、アイコンなどの任意のものが、実質的に任意の寸法及び実質的に任意の位置を有し得ることが理解されよう。
【００４５】
モニタウィンドウ３１０に表示されている生理学的パラメータＩＣＰ、ＭＡＰ／ＢＰ及びＨＲ、ＥＶＤ  ＩＣＰ、ＣＰＰ、ＰｂＯ２、並びにＴｂのそれぞれについてのテキスト表示及び／又はグラフィック表示は、患者の状態を評価するために、ユーザが観察できるように（例えば、画面３００で見えるように）構成することができる。患者の状態の評価を促進するため、いずれかの生理学的パラメータがそれぞれに関連する正常範囲を外れた場合、アラームが提供され得る。アラームは、様々な方法で提供され得る。
【００４６】
例示的な一実施形態において、モニタウィンドウ３１０に表示されている生理学的パラメータ（例えば、ＩＣＰ、ＭＡＰ／ＢＰ、ＨＲ、ＥＶＤ  ＩＣＰ、ＣＰＰ、ＰｂＯ２、及びＴｂ）のいずれか１つの平均が、それに関連する所定正常範囲外になったときに、アラームがトリガされ得る。換言すれば、生理学的パラメータの１つの平均が、その生理学的パラメータに関する所定の正常範囲上限を上回った場合には、又は、その生理学的パラメータに関する所定の正常範囲下限より下がった場合には、アラームがトリガされ得る。換言すれば、生理学的パラメータの平均が、装置のプロセッサで定められている正常範囲外になったときに、プロセッサは装置のアラームを作動させることができる。
【００４７】
上述のように、アラームは、１つ又は２つ以上の任意のアラームを含み得、例えばディスプレイ画面３００に表示される点滅記号、ディスプレイ画面３００上の色変化、ディスプレイ画面３００近くの照明点灯、患者及びディスプレイ画面３００のある部屋の外にあるナースステーションでの可聴音声、主治医の呼び出し等が挙げられる。例示的な一実施形態において、正常範囲外の生理学的パラメータに対するアラームは、少なくとも可聴音声と、その正常範囲外の生理学的パラメータのテキスト表示内におけるディスプレイ画面３００の色変化を含み得る。可聴音声は任意の音声を含み得、当業者には理解されるように、例えばベルの鳴る音、連続ビープ音、サイレンの音などが挙げられ得る。色変化は、正常範囲外の生理学的パラメータのテキスト表示の背景の少なくとも一部分の色変化を含み得る。
【００４８】
例示的な一実施形態において、生理学的パラメータの平均が正常範囲から外れたことに対応して、正常範囲外の生理学的パラメータのテキスト表示の背景の大部分を、第１色から第２色へと変化させることができる。色は、比較的離れた距離（例えば、患者の部屋のドアから患者の部屋内にあるディスプレイ画面までの距離）であっても概ね容易に識別可能である。よってこのアラームは、遠方に届く可聴音声を含んでいない場合であっても、比較的離れた距離で容易に検出することができる。第２色は第１色に対して高いコントラストを有するものであり得、これにより、第２色が画面３００上の異例な色としてはっきりと視認することができ、色の変化を強調するのに役立ち、これによって特別な状態（例えばパラメータが正常範囲外）を示すことができる。代表的な第１色／第２色の組み合わせ例としては、黒／白、黒／赤、白／赤、黒／黄、色相環の一方の色／色相環の反対側の色、灰／赤、などが挙げられる。第１色及び第２色はそれぞれ任意の色であり得、無地、パターン付き、点滅、模様付きなどであり得る。例示的な一実施形態において、第１色は非点滅であり得、第２色は点滅（例えば少なくとも２つの異なる色の間を交互に点滅）であり得る（例えば、第１色とそれぞれ高コントラストである少なくとも２色で点滅）。第１色はディスプレイ画面３００のテキスト表示全体と同じ色であり得、これにより、正常範囲外のパラメータの識別を促進し得る。図３に例示された実施形態において、テキスト表示３１４、３１８、３２２、３２６、３２８、３３０はそれぞれ背景に第１色を有し、これは図示の実施形態では黒である。当業者には理解されるように、第１色から第２色、並びに第２色から第１色へと変化するテキスト表示内の任意の文字（テキスト及び／又は記号）又は画像は、文字表示の背景色にかかわらず、テキスト表示内でその文字及び画像を視認できるように、色を変化させることもできる。加えて、アラームを含む正常範囲外パラメータのテキスト表示に加えて、又はその代わりに、正常範囲外のグラフィック表示は、その中のアラーム記号を含めて色を変化させることができる。
【００４９】
図７は、平均ＩＣＰが所定正常範囲外になった後のディスプレイ画面３００の一実施形態を示し、例示された実施形態において、この平均は正常範囲上限３４０を超えており、例えば、現在の平均値３３４は２．９３ｋＰａ（２２ｍｍＨｇ）であり、正常範囲上限３４０の２．６７ｋＰａ（２０ｍｍＨｇ）を上回っている。ＩＣＰ平均が正常範囲外になったことに応答して、アラームがトリガされ、これによりＩＣＰテキスト表示３１４の背景の大部分３７８の色が、第１色（例えば図３において黒）から第２色（例えば図７において赤）へと変化している。例示された実施形態において、大部分３７８は、現在の平均値３３４を含むＩＣＰテキスト表示３１４、目標上限及び下限３４６、３４８、並びに検出装置位置インジケータ３３８を含む。ＩＣＰテキスト表示３１４の背景の小部分３８０は、図３における第１色から、図７における第２色（例えば白）へと変化している。例示された実施形態の小部分３８０は、正常範囲スケール、正常範囲上限及び下限３４０、３４２、並びに目標範囲スケール３４４を含むＩＣＰテキスト表示３１４の一部分を含む。図７においてＩＣＰのアラームを背景色変化の形態で表示しているディスプレイ画面３００は、ＩＣＰテキスト表示３１４に示されているアラーム記号３７６の形態のアラームも含む。このアラーム記号は、例示された実施形態において、警告の三角形及び感嘆符を含むが、このアラーム記号は、「警告」という語、星、ベルなど、様々なテキスト及び／又は記号の任意の１つ又は２つ以上を含み得る。例示された実施形態において、アラーム記号３７６はＩＣＰテキスト表示３１４内にあり、例えば、正常範囲外パラメータのテキスト表示内にあるが、このアラーム記号３７６は、正常範囲外パラメータのテキスト表示に隣接していてもよく、正常範囲外パラメータのグラフィック表示内にあってもよく、及び／又は正常範囲外パラメータのグラフィック表示に隣接していてもよい。
【００５０】
図７の実施形態において、ＭＡＰ／ＢＰ、ＨＲ、ＥＶＤ  ＩＣＰ、ＣＰＰ、ＰｂＯ２、及びＴｂ生理学的パラメータは、それぞれの正常範囲内にあり、よってＭＡＰ／ＢＰ、ＨＲ、ＥＶＤ  ＩＣＰ、ＣＰＰ、ＰｂＯ２、及びＴｂのいずれについてもアラームは表示されていない。図７には１つだけのアラームが示されているが、画面３００上の任意の１つ又は２つ以上のパラメータについて、任意の組み合わせで、それぞれのアラームを有し得る。
【００５１】
図８は、平均ＩＣＰが所定正常範囲外になった後のディスプレイ画面３００の別の一実施形態を示し、例示された実施形態において、この平均は正常範囲上限３４０を超えており、例えば、現在の平均値３３４は２．９３ｋＰａ（２２ｍｍＨｇ）であり、正常範囲上限３４０の２．６７ｋＰａ（２０ｍｍＨｇ）を上回っている。図８は、図５のモニタウィンドウ３１０からアラームがトリガされていることを示し、ここでデータは単一の生理学的パラメータＩＣＰについて受け取られている。図８のアラームは、図７と同様に、色が変わっている（黒から赤へ）ＩＣＰテキスト表示３１４の背景色の大部分３８２、色が変わっている（黒から白へ）ＩＣＰテキスト表示３１４の背景色の小部分３８４、及びＩＣＰテキスト表示３１４内に表示されているアラーム記号３７６を含む。
【００５２】
正常範囲下限３４２より下がっているＩＣＰ平均と、それぞれの正常範囲を外れている画面３００上の他の生理学的パラメータは、図７及び図８のＩＣＰアラームに関して検討されたものに同様のアラームをトリガし得る。
【００５３】
アラームの継続時間は、決定され、例えば記憶装置に保存することができ、これは例えば画面３００に表示された場合に患者の状態の評価を促進し得る。換言すれば、アラームの開始時間と終了時間は保存することができる。
【００５４】
アラームがトリガされると、アラームがユーザによって承認されるまで、及び／又は正常範囲外パラメータの平均値が正常範囲内に戻るまで、アラームは継続し得る（例えば、音声は音を鳴らし続けることができ、テキスト表示の背景色は第２色であり続けることができ、テキスト表示背景色は点滅し続けることができ、表示に取り付けられている警告灯は点滅し続けることができる）。アラームは、例えばアラーム消音ボタン３７４をオンにするなど、様々な方法で承認することができる。例示的な一実施形態において、アラーム消音ボタン３７４は、アラームがトリガされたときにのみ表示され得る。
【００５５】
アラームが承認された場合には、ディスプレイ画面３００は、そのパラメータが正常範囲内に戻るまで、その正常範囲外パラメータが正常範囲外であることを引き続き示し続けることができる。このようにして、ディスプレイ画面３００は、そのアラーム状態が少なくとも１人の医療担当者（例えば看護師、医師など）によって観察されたことを示し得る。よって、アラーム状態が継続している間、ディスプレイ画面３００を後で見た人は、そのアラームがすでに観察されており、必要に応じて対処されようとしている可能性が高いことを、ディスプレイ画面３００から判断することができる。ディスプレイ画面３００は、様々な方法で承認アラームを表示することができる。例示的な一実施形態において、正常範囲外の生理学的パラメータに対する承認アラームは、少なくとも、その正常範囲外の生理学的パラメータのテキスト表示内におけるディスプレイ画面３００の色変化を含み得る。アラームを示すため変化する、範囲外パラメータのテキスト表示の部分は、ここでも、第１色から第２色への色変化について上述したのと同様に変化し得る（例えば、第２色から第３色（第１色及び第２色とは異なる）への変化）。第３色への変化は、第１色から第２色への変化について上述したのと同様であり得る。第３色は第１色及び第２色のそれぞれに対して高いコントラストを有するものであり得、これにより、第３色が画面３００上の異例な色としてはっきりと視認することができ、色の変化を強調するのに役立ち、これによって特別な状態（例えば、正常範囲外パラメータの承認）を示すことができる。代表的な第１色／第２色／第３色のトリオの例としては、黒／白／赤、黒／赤／白、白／赤／黒、黒／黄／赤、三原色などが挙げられる。第３色は任意の色であり得、無地、パターン付き、点滅、模様付きなどであり得る。例示的な一実施形態において、第２色は無地かつ非点滅であり得、第３色は第２色と同じ色を含む非点滅パターンであり得る（例えば、第２色が赤であり、第３色が第２色中に縞模様で別の色である）。第３色はディスプレイ画面３００のテキスト表示全体と同じ色であり得、これにより、正常範囲外の承認パラメータの識別を促進し得る。
【００５６】
図９は、図７の承認の後の、ディスプレイ画面３００の一実施形態を示す。アラームの承認に応答して（例えば、アラーム消音ボタン３７４の作動に応答して）、承認がトリガされ、これによってＩＣＰテキスト表示３１４の背景の大部分３７８が第２色（例えば、図７において赤）から第３色（例えば、図９において白）へと変化している。ＩＣＰテキスト表示３１４の背景の小部分３８０は、図７から図９で変化しない。アラーム記号３７６は、図９に示すように、アラームが承認された後であってもディスプレイ画面３００に残ったままであり得る。
【００５７】
正常範囲のアラームに関して上述で検討したのと同様に、患者の状態の評価を促進するため、生理学的パラメータのいずれかがそれに関する目標範囲を外れた場合には、目標アラームを提供することができる。例示的な一実施形態において、この目標アラームは、生理学的パラメータがそれに関する目標範囲の外であり、それに関する正常範囲内である場合には、その生理学的パラメータに関して提供され得る。目標アラームは、目標アラームに関連付けられた生理学的パラメータが最適範囲に入っておらず、よって正常範囲から外れる傾向にある可能性があることから、その患者が評価及び／又は治療を必要としている可能性があることを、医療関係者（例えば担当看護師、医師など）に対して知らせることができる。換言すれば、患者の状態が悪化している可能性があるが、評価することができ、及び／又は、患者がより悪化した状態に陥る前に、治療することができる。目標アラームは、よって、予防的手段で機能し得る。目標アラームは、様々な方法で提供され得る。
【００５８】
例示的な一実施形態において、生理学的パラメータ（例えばＩＣＰ、ＭＡＰ／ＢＰ、ＨＲ、ＥＶＤ  ＩＣＰ、ＣＰＰ、ＰｂＯ２、及びＴｂ）の１つの平均が、所定目標範囲内にあり、よってそれに関する正常範囲内でもあるとき、目標インジケータは、ディスプレイ画面３００上に示すことができる。換言すれば、生理学的パラメータの１つの平均が、それに関する目標範囲内であるとき（例えば、所定の目標上限より下で所定の目標下限より上であるとき）、目標インジケータは、その生理学的パラメータについて、画面３００上に表示されるようトリガされ得る。装置のプロセッサは、生理学的パラメータの平均がそれぞれの目標範囲内にあるかどうかを判定するように構成することができ、また、画面３００上に目標インジケータを表示させるように構成することができる。ディスプレイ画面３００に示されている生理学的パラメータのステータスは、よって、ディスプレイ画面３００をチェックする（例えば、ユーザがディスプレイ画面を見て、それぞれの生理学的パラメータについて画面３００に目標インジケータがあるかどうかを判定する）ことで、迅速に評価することができる。生理学的パラメータの目標アラームは、例示的な一実施形態において、その生理学的パラメータについて画面３００に目標インジケータが欠如していることを含み得る。
【００５９】
ある生理学的パラメータについて画面３００に目標インジケータが存在することに基づいて、医療従事者は、そのパラメータが許容範囲内にあることを判定するのに、その目標インジケータに関連付けられているパラメータのディスプレイ画面３００上の実際の数値を調べる必要はなく、これによって、時間を節約し、及び／又は、患者の測定パラメータが許容範囲内にあるかどうかを判定する際の間違いを減らすのに役立つ。生理学的パラメータそれぞれについて、画面３００上に目標インジケータが存在するということは、パラメータそれぞれが、関連付けられている目標範囲内にあることを示し得、これによって、その生理学的パラメータは、その患者が比較的良好な状態にあることを示していることを指し得る。医療従事者はよって、パラメータすべてについて目標インジケータが存在することに基づいて、その患者が現時点で評価及び／又は治療が必要ないと結論づけることができる。ただし、医療従事者は、それにもかかわらず、任意の他の数多くの要因（例えば、患者の評価の定期的スケジュールを維持するためなど）に基づいて、この時点で患者を評価及び／又は治療するよう判断することができる。
【００６０】
したがって、ある生理学的パラメータについて画面３００に目標インジケータが欠如していることに基づいて、医療従事者は、そのパラメータが許容範囲内にないことを判定するのに、その目標インジケータに関連付けられているパラメータのディスプレイ画面３００上の実際の数値を調べる必要はなく、これによって、時間を節約し、及び／又は、患者の測定パラメータが許容範囲内にあるかどうかを判定する際の間違いを減らすのに役立つ。任意の生理学的パラメータについて、画面３００に目標インジケータが存在しないということは、そのパラメータのいずれも、関連付けられている目標範囲内にないことを意味し得る。任意のパラメータについて画面３００に目標インジケータも正常範囲アラームも存在しないということは、患者の生理学的パラメータがそれぞれの正常範囲内にあるものの、この段階で患者の評価及び／又は治療が（例えば、患者の状態が、いずれかの生理学的パラメータの正常範囲外に悪化するのを防ぐために）推奨され得ることを意味し得る。医療従事者はよって、パラメータのいずれにも目標インジケータが存在しないことに基づいて、その患者が現時点で評価及び／又は治療を行うべきであると結論づけることができる。ただし、医療従事者は、それにもかかわらず、任意の他の数多くの要因（例えば、最初に同僚に相談できるようにするためなど）に基づいて、この時点で患者を評価及び／又は治療しないように判断することができる。同様に、少なくとも１つであるが全部よりは少ない生理学的パラメータについて、画面３００上に目標インジケータが表示されていないことは、少なくとも１つのパラメータが、その関連付けられている目標範囲の外にあり、この段階で患者の評価及び／又は治療が推奨され得ることを意味し得る。
【００６１】
目標インジケータは、様々な方法で提供され得る。目標インジケータには、任意の１つ又は２つ以上のインジケータが含まれ得、例えば画面の色コントラストの高い部分、ディスプレイ画面に表示される記号、ディスプレイ画面近くの点灯光などであり得る。例示的な一実施形態において、目標インジケータは、視覚的に識別可能かつ無音（例えば非可聴）であり得、これにより目標インジケータは、うるさくならないように提供することができる。目標インジケータは、ディスプレイ画面３００上に表示された関連付けられている生理学的パラメータに隣接して画面３００上に表示され、これにより、画面３００上に示されている複数のパラメータの中で、その関連付けられた生理学的パラメータと目標インジケータとを関連付けるのを促進することができる。例示的な一実施形態において、目標範囲内の生理学的パラメータに対する目標インジケータには、少なくとも、その目標範囲内の生理学的パラメータのテキスト表示内におけるディスプレイ画面３００の色変化が含まれ得る。色変化には、目標範囲内の生理学的パラメータのテキスト表示の背景の少なくとも一部分の色変化が含まれ得る。例示的な一実施形態において、生理学的パラメータの平均が目標範囲内にあることに対応して、目標範囲内の生理学的パラメータのテキスト表示の背景の小部分を、第１色から第２色へと変化させることができる。上述のように、色は、比較的遠距離からでも概ね容易に識別できる。目標インジケータは、よって、可聴音声を含んでいなくとも、比較的遠距離から容易に観察され得る。第２色は、正常範囲外パラメータのアラームに関して上述したように、第１色に対して高い色コントラストを有し得、これにより、第２色が画面３００上の異例な色としてはっきりと視認することができ、色の変化を強調するのに役立ち、これによって特別な状態（例えばパラメータが目標範囲内）を示すことができる。第１色及び第２色は、正常限界外パラメータのアラームに関して上述したように、変えることができる。また上述と同様に、目標範囲内パラメータのテキスト表示に加えて又はその代わりに、目標範囲内パラメータのグラフィック表示の色も、その中の目標インジケータ記号も含めて、変えることができる。
【００６２】
目標インジケータは所望により、それに関係付けられた生理学的パラメータの平均が増加中であるか減少中であるかを示す、トレンドインジケータを含み得る。このトレンドインジケータは、現在時間又は他の時間（例えば１時間、２４時間、後述されるトレンド時間、担当医のシフトに対応する時間など）にわたって、生理学的パラメータの増加トレンド又は減少トレンドを反映することができる。トレンド時間に対応するトレンドを示すトレンドインジケータにより、ハイブリッドウィンドウ又はトレンドウィンドウ（いずれも後で詳しく検討される）に切り替える必要なしに、モニタウィンドウ３１０内でトレンド情報にアクセスすることが可能になる。トレンドインジケータは、様々な構成を有し得る。トレンドインジケータの例としては、平均トレンドの増加を示す上向き矢印、又は平均トレンドの減少を示す下向き矢印；平均トレンドの増加を示す「上昇」、「増加」などのテキストメッセージ、又は平均トレンドの減少を示す「下降」、「減少」などのテキストメッセージが挙げられる。トレンドインジケータは、関連付けられた生理学的パラメータのテキスト表示内及び／又はこれに隣接して配置され得る。例示的な一実施形態において、トレンドインジケータは、関連付けられている生理学的パラメータのテキスト表示内の目標インジケータ内に配置することができ、例えばテキスト表示内の目標インジケータ色内にある矢印であり得る。
【００６３】
図１０は、平均ＩＣＰが所定目標範囲内にあるときのディスプレイ画面３００の一実施形態を示し、例示された実施形態において、平均が、目標範囲上限３４６よりも小さく、正常範囲上限３４０よりも小さく、目標範囲下限３４８よりも大きく、かつ正常範囲下限３４２よりも大きい。例えば、現在の平均値３３４は１．３３ｋＰａ（１０ｍｍＨｇ）で、これは目標範囲上限３４６の１．８７ｋＰａ（１４ｍｍＨｇ）よりも小さく、正常範囲上限３４０の２．６７ｋＰａ（２０ｍｍＨｇ）よりも小さく、目標範囲下限３４８の１．０７ｋＰａ（８ｍｍＨｇ）よりも大きく、かつ正常範囲下限３４２の−１．３３ｋＰａ（−１０ｍｍＨｇ）よりも大きい。目標範囲内にあるＩＣＰ平均に応答して、目標インジケータがトリガされ、これによりＩＣＰテキスト表示３１４の背景の小部分３８０が、第１色（例えば図３において黒）から第２色（例えば図１０において緑）へと変化している。例示的な一実施形態において、目標インジケータを表示する色は、アラームを表示する色とは異なる色で、高いコントラストを有するものであり得、例えば、目標インジケータは緑、アラームは赤であり得る。正常範囲アラームに関して上述したように、画面３００の小部分及び大部分は可変であり得る。例示された実施形態において、目標インジケータ３８０はＩＣＰテキスト表示３１４内にあり、例えば目標範囲内パラメータのテキスト表示内にあるが、この目標インジケータ３８０は、目標範囲内パラメータのテキスト表示に隣接していてもよく、目標範囲内パラメータのグラフィック表示内にあってもよく、及び／又は目標範囲内パラメータのグラフィック表示に隣接していてもよい。
【００６４】
図１０には１つだけの目標インジケータが示されているが、画面３００上の任意の１つ又は２つ以上のパラメータについて、任意の組み合わせで、それぞれの目標インジケータを有し得る。一般に、画面３００にある目標インジケータの数が多いほど、患者が全体的に比較的良好な状態にある可能性が高く、画面３００にある目標インジケータの数が少ないほど、患者が全体的に比較的良好な状態にある可能性が低くなる。よって、画面３００に表示される目標インジケータの数は、患者の全体的な状態のインジケータとして構成することができる。よって、画面３００を観察するユーザ（例えば医療従事者など）は、患者を評価及び／又は治療すべきかどうかを判定するのに、画面３００にある目標インジケータの数を利用することができる。換言すれば、患者の生理学的パラメータの数値を見るか又は判定することなしに、ユーザは、患者を評価及び／又は治療すべきかどうかを判定することができ、これは迅速な意思決定を促進し、画面３００からの数値読み取りの間違いを低減するのに役立ち、現在の数値を所定範囲と比較する際の間違いを低減するのに役立ち、及び／又は、迅速な患者治療を促進し得る。色は、比較的遠距離からでも一般に容易に識別可能であるため、上述のように、画面３００の生理学的パラメータの目標インジケータは、医療従事者又はその他のユーザが患者の部屋への立入り及び／又は患者に近づく必要すらなしに、患者の全体的な状態の評価を促進し得る。
【００６５】
図１１は、平均ＩＣＰが所定目標範囲内にあるディスプレイ画面３００の別の一実施形態を示し、この実施形態は図１０に関して上述した通りである。図１１は、図５のモニタウィンドウ３１０からトリガされている目標インジケータを示し、ここにおいてデータは単一の生理学的パラメータＩＣＰについて受け取られている。図１１における目標インジケータは、図１０と同様に、色が変化（黒から緑へ）しているＩＣＰテキスト表示３１４の背景色の小部分３８４を含む。
【００６６】
図１２には、複数の生理学的パラメータの平均がそれぞれの目標範囲内にあるときの、ディスプレイ画面３００の一実施形態を示す。例示された実施形態において、ＩＣＰは図１０に関して上述したように所定の目標範囲内にあり、ＰｂＯ２は所定の目標範囲内にあり、この例示された実施形態においてはＰｂＯ２平均は２．９３ｋＰａ（２２ｍｍＨｇ）で、目標上限の３．０７ｋＰａ（２３ｍｍＨｇ）より小さく、正常範囲上限３８６の３．９９ｋＰａ（３０ｍｍＨｇ）より小さく、目標下限の２．２７ｋＰａ（１７ｍｍＨｇ）より大きく、かつ正常範囲下限３８８の０ｋＰａ（０ｍｍＨｇ）より大きい。図１２は、図３のモニタウィンドウ３１０でトリガされているＩＣＰ及びＰｂＯ２の目標インジケータを示す。図１２の目標インジケータは、図１１同様、色が変わっている（黒から緑へ）ＩＣＰテキスト表示３１４の背景色の小部分３８４、及び、色が変わっている（黒から緑へ）ＰｂＯ２テキスト表示３２８の背景色の小部分３９０を含む。例示された実施形態において、ＥＶＤ  ＩＣＰ、ＣＰＰ、及びＴｂ生理学的パラメータは、それぞれの目標範囲外かつそれぞれの正常範囲内であり、これにより、ＥＶＤ  ＩＣＰ、ＣＰＰ、及びＴｂのいずれについてもアラーム及び目標インジケータは示されていない。
【００６７】
図１３は、少なくとも１つの生理学的パラメータがその目標範囲内にあり、かつ少なくとも１つの他の生理学的パラメータがその正常範囲外にあるときの、ディスプレイ画面３００の一実施形態を示す。例示された実施形態において、ＩＣＰ及びＰｂＯ２生理学的パラメータは、図１２に関して上述したようにそれぞれの目標範囲内であり、ＥＶＤ  ＩＣＰ、ＣＰＰ、及びＴｂ生理学的パラメータは、図１２に関して上述したようにそれぞれの目標範囲外でかつそれぞれの正常範囲内であり、ＭＡＰ／ＢＰ生理学的パラメータは、正常範囲外である（例えば、その正常範囲の所定の下限より下である）。ＭＡＰ／ＢＰアラームは、図９のＩＣＰアラームの承認に関して上述したのと同様に承認されたものとして図１３に示されている。図１３には目標インジケータ２つとアラーム１つのみが示されているが、画面３００の任意のパラメータの任意の組み合わせで、目標インジケータ又はアラームを有し得る。
【００６８】
目標状態の継続時間は、決定され、例えば記憶装置に保存することができ、これは例えば画面３００に表示された場合に患者の状態の評価を促進し得る。換言すれば、画面３００に目標インジケータが存在する開始時間と終了時間は保存され得る。
【００６９】
目標インジケータが、ある生理学的パラメータについてトリガされているとき、その目標インジケータは、パラメータがそれに関連付けられている目標範囲外になるまで維持され得る。よって目標インジケータは、その関連付けられた生理学的パラメータの目標範囲内状態を連続的に表示するよう構成され得る。例示的な一実施形態において、目標インジケータは、消去不可であるように構成することができ、例えば、ユーザ入力によって画面３００の目標インジケータを消すことはできない。換言すれば、目標インジケータは、パラメータが目標範囲外にならない限り、その関連付けられた生理学的パラメータに対して画面３００上に常に表示されるよう構成することができる。これにより、画面３００は、各パラメータの目標範囲状態の表示を常に提供するよう構成することができる。よって画面３００は、一貫した方法で目標範囲状態情報を連続的に提供するよう構成することができ、例えば、テキスト表示の少数部分が、目標範囲内のときに同じ色を維持し、目標範囲外のときに同じ色を維持することによって、パラメータの目標範囲状態の明確な評価を促進することができる。ただし、目標インジケータは、例えばアラームの承認に関して上述したのと同様の承認を行うことによって、画面３００から消去及び／又は変更されるよう構成することができる。よって、画面３００は、アラーム消音ボタン３７４と同様の目標インジケータ承認ボタン（図示なし）を含み得る。
【００７０】
上述のように、目標インジケータは、平均値が所定の目標範囲内にあることに応答して、生理学的パラメータ（例えばＩＣＰ、ＭＡＰ／ＢＰ、ＨＲ、ＥＶＤ  ＩＣＰ、ＣＰＰ、ＰｂＯ２、及びＴｂ）についてトリガされ得る。それに加えて、又は別の方法として、目標インジケータは、患者から収集されたある生理学的パラメータの個々の値のパターンが、生理学的パラメータの値の所定パターンに合致することに応答して、その生理学的パラメータについてトリガされ得る。換言すれば、所定の値パターンから変化した個々の値のパターンに応答して、目標アラームがトリガされ得る。上述のように、その生理学的パラメータの目標インジケータがすでに画面に存在している場合には、目標アラームをトリガすることで、その生理学的パラメータの目標インジケータを画面３００から消去することができ、あるいは、その生理学的パラメータの目標インジケータが画面に存在していない場合には、その生理学的パラメータの目標インジケータを画面３００から消えたままにすることができる。よって目標インジケータは、パラメータの現在値がそのパラメータの目標範囲内である場合であっても、状況によっては、そのパラメータについて画面３００に表示させないよう構成することができる。これにより、目標インジケータは、関連付けられた目標範囲の外、及び／又は関連付けられた正常範囲の外になるトレンドがあるかどうかを示すよう構成することができる。よって、患者の状態は、患者の状態が更に悪化する前に、例えば、生理学的パラメータの平均が正常範囲外及び／又は目標範囲外になる可能性が生じる前に、評価及び／又は治療することができる。所定の値パターンには、様々な異なるパターンが含まれ得る。
【００７１】
代表的な一実施形態において、所定のパターンには、直前に収集又は計算された値からそれぞれ増加している、直後の連続した収集又は計算された値が所定の数含まれ得る。換言すれば、所定の数の値が連続的に増加する場合には、例えば上向きトレンドを示す場合には、そのパラメータについて目標アラームがトリガされ得る。この所定の数は、２つ又は３つ以上の任意の数であり得、例示的な一実施形態においては少なくとも１０であり、例えばこれにより、連続して１１番目に増加した値により、目標アラームがトリガされ得る。所定の数は、異なるパラメータ間で異なっていてよく、例えば、より高頻度で収集される生理学的パラメータの場合には、他の生理学的パラメータよりも、この所定の数が多くなる。
【００７２】
例示的な別の一実施形態において、所定のパターンには、直前に収集又は計算された値からそれぞれ減少している、直後の連続した収集又は計算された値が所定の数含まれ得る。換言すれば、所定の数の値が連続的に減少増加する場合には、例えば、下向きトレンドを示す場合には、そのパラメータについて目標アラームがトリガされ得る。この所定の数は、２つ又は３つ以上の任意の数であり得、例示的な一実施形態においては少なくとも１０であり、例えばこれにより、連続して１１番目に減少した値により、目標アラームがトリガされ得る。所定の数は、生理学的パラメータ間で異なっていてよく、例えば、より高頻度で収集される生理学的パラメータの場合は、他の生理学的パラメータよりも、この所定の数が多くなる。
【００７３】
更に別の例示的な一実施形態において、この所定のパターンには、直前の値よりも所定の閾値量を超えて大きい、収集又は計算された値が含まれ得る。換言すれば、所定のトレンドには、値の急激なスパイク増加が含まれ得る。所定の閾値量は、異なるパラメータ間で異なっていてよく、例えば、より高頻度で収集される生理学的パラメータの場合は、他の生理学的パラメータよりも、この所定の閾値量が多くなる。
【００７４】
更に別の例示的な一実施形態において、この所定のパターンには、直前の値よりも所定の閾値量を超えて小さい、収集又は計算された値が含まれ得る。換言すれば、所定のトレンドには、値の急激なスパイク減少が含まれ得る。所定の閾値量は、異なるパラメータ間で異なっていてよく、例えば、より低頻度で収集される生理学的パラメータの場合は、他の生理学的パラメータよりも、この所定の閾値量が少なくなる。
【００７５】
別の例示的な一実施形態において、この所定のパターンには、そのパラメータの現在の平均値よりも所定の閾値量を超えて大きい、収集又は計算された値が含まれ得る。換言すれば、所定のパターンには、値の急激なスパイク増加が含まれ得る。所定の閾値量は、異なるパラメータ間で異なっていてよく、例えば、より高頻度で収集される生理学的パラメータの場合には、他の生理学的パラメータよりも、この所定の閾値量が多くなる。
【００７６】
別の例示的な一実施形態において、この所定のパターンには、そのパラメータの現在の平均値よりも所定の閾値量を超えて小さい、収集又は計算された値が含まれ得る。換言すれば、所定のパターンには、値の急激なスパイク減少が含まれ得る。所定の閾値量は、異なるパラメータ間で異なっていてよく、例えば、より低頻度で収集される生理学的パラメータの場合には、他の生理学的パラメータよりも、この所定の閾値量が少なくなる。
【００７７】
別の例示的な一実施形態において、この所定のパターンには、所定条件に合致する１つ又は２つ以上の生理学的パラメータが含まれ得、これによって別の１つ又は２つ以上の生理学的パラメータの目標アラームをトリガすることができる。換言すれば、１つ又は２つ以上の生理学的パラメータが、他の１つ又は２つ以上の生理学的パラメータと相互相関関係にあり得、これにより１つ又は２つ以上の生理学的パラメータの値が、他の１つ又は２つ以上の生理学的パラメータに影響を与え得る。例えば、ＣＰＰはＩＣＰ及びＭＡＰと相互相関関係にあってよく、これによりＩＣＰ及びＭＡＰの一方又は両方がそれぞれの目標範囲外及び／又はそれぞれの正常範囲外になった場合に、ＣＰＰの目標アラームがトリガされ得、例えば、画像３００にまだ表示されている場合には画像３００からＣＰＰの目標インジケータが消去され得る。換言すれば、この所定条件は例えば、ＩＣＰ及び／又はＭＡＰがそれぞれの目標範囲外になる、及び／又はそれぞれの正常範囲外になることであり得る。別の一例において、ＭＡＰ／ＢＰは、ＩＣＰと相互相関関係にあってよく、これによりＩＣＰ及びＭＡＰ／ＢＰの一方が増加している場合には、例えば、その平均が増加している場合には、及びＩＣＰ及びＭＡＰ／ＢＰのもう一方が減少している場合には、例えばその平均が減少している場合には、目標アラームは、ＩＣＰとＭＡＰ／ＢＰの両方についてトリガされ得る。換言すれば、所定の条件は、例えば、ＩＣＰ及びＭＡＰ／ＢＰの一方が増加し、ＩＣＰ及びＭＡＰ／ＢＰのもう一方が減少することであり得る。ＩＣＰ及びＭＡＰ／ＢＰは両方とも圧力に関連するため、同じ現在時間にわたって、ＩＣＰ及びＭＡＰ／ＢＰの一方が増加し、ＩＣＰ及びＭＡＰ／ＢＰのもう一方が減少する場合、たとえＩＣＰとＭＡＰ／ＢＰが両方とも目標範囲内にあっても、その患者はジストレス状態にある可能性がある。別の一例として、ＭＡＰ／ＢＰはＩＣＰと相互相関関係にあってよく、これにより、ＩＣＰがＭＡＰ／ＢＰとは逆に増加又は減少している場合には、例えば、ＩＣＰの平均が増加してかつＭＡＰ／ＢＰの平均が減少している、又は、ＩＣＰの平均が減少してかつＭＡＰ／ＢＰの平均が増加減少している場合には、ＩＣＰに対して目標アラームがトリガされ得る。換言すれば、所定の条件は例えば、ＩＣＰの平均のトレンドが、ＭＡＰ／ＢＰの平均のトレンドと反対であることであり得る。
【００７８】
所定の数、所定の閾値量、及び所定パターンの所定の条件は、それぞれ、互いに同じ又は異なるに関わらず、デフォルトの予めプログラミングされた値、例えばプロセッサに予めプログラミングされた値とすることができ、又は、特定の患者についてカスタマイズさせることができる。
【００７９】
この装置は、任意の数の所定パターンを考慮するように構成することができる。換言すれば、任意の数の所定のパターンを、装置に予めプログラミングすることができ、これにより目標アラームは、１つ又は２つ以上の任意の所定パターン及び／又は目標範囲に基づいてトリガされるように構成することができる。いくつかの実施形態において、生理学的パラメータの所定正常範囲に関するアラームは、所定の目標範囲に関して上述したのと同様の所定パターンに基づくことができる。
【００８０】
上述のように、ディスプレイ画面３００のハイブリッドタブ３０４を選択すると、画面３００上にハイブリッドウィンドウが表示される。ハイブリッドウィンドウは、現在時間にわたって１つ又は２つ以上の生理学的パラメータの情報を示すよう構成することができ、かつた、本明細書において「トレンド時間」と称され、現在時間さとは異なる、別の時間にわたって１つ又は２つ以上の生理学的パラメータの情報を表示することができる。ハイブリッドウィンドウは、これにより、現在の情報と前に収集した情報との比較を促進でき、これは、患者の生理学的パラメータのより長期的な解析を促進し得る。現在時間にわたる１つ又は２つ以上の生理学的パラメータの情報は、モニタウィンドウに表示され得る情報に関して上述したのと同様の情報を含み得る。他の時間にわたる１つ又は２つ以上の生理学的パラメータの情報は、トレンドウィンドウに表示され得る情報を含み得る。よって、ハイブリッドウィンドウは、モニタウィンドウとトレンドウィンドウのハイブリッドとして構成することができる。各生理学的パラメータそれぞれについてハイブリッドウィンドウに表示される情報は、上述のように、様々な方法でモニタリング装置が受け取られたデータに基づき得る。画面上に示されている生理学的パラメータのそれぞれについて、このハイブリッドウィンドウは、現在時間にわたるパラメータ情報のテキスト表示と現在時間にわたるパラメータ情報のグラフィック表示のうちの少なくとも１つ、及び、トレンド時間にわたるパラメータ情報のテキスト表示とトレンド時間にわたるパラメータ情報のグラフィック表示のうちの少なくとも１つを表示するように構成することができる。
【００８１】
例示な一実施形態において、トレンド時間は、例えば、１５分、３０分、９０分、１００分など現在時間よりも長くてよく、事実上任意の時間をトレンド時間として使用することができる。いくつかの実施形態において、トレンド時間は数時間、数日、又はそれより長くてもよく、現在時間に対して上述のように調節可能である。トレンド時間は、現在時間より完全に先行していてよく、又は、少なくとも部分的に現在時間に重複していてもよい。いくつかの実施形態において、トレンド時間は、特定の生理学的パラメータの要件に対応し得る。例えば、トレンド時間は、ＩＣＰモニタリングに適した時間に対応させることができ、これにより医療介護者がこのトレンド時間の検討を行うことができる。ディスプレイ画面上の生理学的パラメータについてトレンドを表示する様々な実施形態が、米国特許公開第２００９／０００５７０３号に、より詳しく記述されている。
【００８２】
図１４は、ディスプレイ画面３００上のハイブリッドウィンドウ３９２の一実施形態を示す。上述のように、ハイブリッドウィンドウ３９２には１つ以上の静的機能が含まれ得、例えば患者ＩＤウィンドウ３５４、ヘルプボタン３５６、画面ロックボタン３５８、履歴ボタン３６０、手動入力ボタン３６２、印刷ボタン３６４、現在の日付／時刻インジケータ３６６、電源コネクタ３６８、充電インジケータ３７０、ドッキングインジケータ３７２、及びアラーム消音ボタン３７４が挙げられる。例示された実施形態において、ハイブリッドウィンドウ３９２には、現在時間にわたる情報として、ＩＣＰがＩＣＰテキスト表示３９４及びＩＣＰグラフィック表示３９６に、ＭＡＰ／ＢＰがＭＡＰ／ＢＰテキスト表示３９８及びＭＡＰ／ＢＰグラフィック表示４００に、ＨＲがＭＡＰ／ＢＰテキスト表示３９８に、ＥＶＤ  ＩＣＰがＥＶＤテキスト表示４０２に、ＣＰＰがＣＰＰテキスト表示４０４に、ＰｂＯ２がＰｂＯ２テキスト表示４０６に、並びにＴｂがＴｂテキスト表示４０８に表示されているが、上述のように、１つ又は２つ以上の任意の生理学的パラメータをモニタリング及び表示させることができ、１つ又は２つ以上の任意の生理学的パラメータの現在情報が、テキスト表示及び／又はグラフィック表示でハイブリッドウィンドウ３９２上に表示され得る。例示された実施形態において、ハイブリッドウィンドウ３９２には、トレンド時間にわたる情報として、ＩＣＰがＩＣＰトレンドウィンドウ４１０に、ＭＡＰ／ＢＰがＭＡＰ／ＢＰトレンドウィンドウ４１２に、ＣＰＰがＣＰＰトレンドウィンドウ４１４に、ＰｂＯ２がＰｂＯ２トレンドウィンドウ４１６に、及びＴｂがＴｂトレンドウィンドウ４１８に表示されているが、モニタウィンドウに関して上述したテキスト表示及びグラフィック表示と同様に、１つ又は２つ以上の任意の生理学的パラメータのトレンド情報をテキスト表示及び／又はグラフィック表示でハイブリッドウィンドウ３９２上に表示することができる。生理学的パラメータのうち１つ又は２つ以上のいずれをテキスト表示のみにし、いずれをグラフィック表示のみにし、又はテキスト表示とグラフィック表示の両方にするかは、例えばタッチスクリーン上で表示をドラッグ・アンド・ドロップすることにより、又はプリファレンスボタン３１２をオンにすることにより、ユーザが調整することができる。
【００８３】
図１４の実施形態に示すように、それぞれの生理学的パラメータに関して、ハイブリッドウィンドウ３９２は、ＩＣＰトレンドウィンドウ４１０、ＭＡＰ／ＢＰトレンドウィンドウ４１２、ＣＰＰトレンドウィンドウ４１４、ＰｂＯ２トレンドウィンドウ４１６、及びＴｂトレンドウィンドウ４１８のそれぞれにおいて、トレンドラインを表示することができる。生理学的パラメータそれぞれのトレンドラインは、その関連付けられた生理学的パラメータをグラフ線を介して表わすことができるが、棒グラフ、分離データ点プロット、及び／又はその他の図示表示など、事実上あらゆるグラフィック表現を使用することができる。例示された実施形態におけるＩＣＰトレンドウィンドウ４１０、ＭＡＰ／ＢＰトレンドウィンドウ４１２、ＣＰＰトレンドウィンドウ４１４、ＰｂＯ２トレンドウィンドウ４１６、及びＴｂトレンドウィンドウ４１８はそれぞれ、トレンド時間にわたって収集及び／又は計算されたそれぞれの生理学的パラメータ値が、トレンドラインを介してプロットされている。ただし、トレンドウィンドウは、それに関連した生理学的パラメータに基づく他の統計値、例えば、サンプル期間、例えば２〜３秒毎に、にわたって計算された生理学的パラメータの平均値、中央値、正規化値、収縮期値、拡張期値、波形振幅などを、（例えば、グラフ線及び／又は他の絵図表示によって）示すことができる。
【００８４】
いくつかの例において、上述のように特定の生理学的パラメータについてのデータは得られないことがあり、これによって、欠落した生理学的パラメータはハイブリッドウィンドウ３９２から欠如していることがある。図１５は、複数の生理学的パラメータ、例えばＩＣＰ、ＭＡＰ／ＢＰ及びＨＲ、並びにＣＰＰ、についてデータを受け取られており、かつ複数の生理学的パラメータ、例えばＥＶＤ  ＩＣＰ、ＰｂＯ２、及びＴｂ、についてデータを受け取られていない、ハイブリッドウィンドウ３９２の一例を示す。よって、例示された実施形態におけるハイブリッドウィンドウ３９２では、現在時間にわたるＥＶＤ  ＩＣＰ、ＰｂＯ２、及びＴｂのグラフィック表示が欠如し、現在時間にわたるＥＶＤ  ＩＣＰ、ＰｂＯ２、及びＴｂのテキスト表示が欠如し、ＰｂＯ２グラフィック表示４１６及びＴｂグラフィック表示４１８におけるトレンド時間にわたるＥＶＤ  ＩＣＰ、ＰｂＯ２、及びＴｂのグラフィック表示が欠如し、また、ＥＶＤ  ＩＣＰ、ＰｂＯ２、及びＴｂについてのテキスト表示４０２、４０６、４０８の数値データが欠如している。例示された実施形態において、ＥＶＤ  ＩＣＰ、ＰｂＯ２、及びＴｂそれぞれのテキスト表示４０２、４０６、４０８には、テキストメッセージの形態でのデータ欠落インジケータ「接続なし」がＥＶＤ  ＩＣＰ及びＴｂの表示４０２、４０８に含まれ、「インストールなし」がＰｂＯ２表示４０６に含まれている。
【００８５】
モニタウィンドウ３１０について上述したのと同様に、ハイブリッドウィンドウ３９２に表示されている生理学的パラメータＩＣＰ、ＭＡＰ／ＢＰ及びＨＲ、ＥＶＤ  ＩＣＰ、ＣＰＰ、ＰｂＯ２、並びにＴｂのそれぞれについてのテキスト表示及び／又はグラフィック表示は、患者の状態を評価するために、ユーザが観察できるように構成することができる。モニタウィンドウ３１０に関して上述したのと同様に、患者の状態の評価を促進するため、生理学的パラメータのいずれかがそれに関する正常範囲を外れた場合には、アラームを提供することができる。例示的な一実施形態において、ある生理学的パラメータのアラームがトリガされると、ハイブリッドウィンドウ３９２のその生理学的パラメータのモニタ部分がアラームを表示するように構成することができ、同時に、ハイブリッドウィンドウ３９２のその生理学的パラメータのトレンド部分はアラームに応答して変化しないように、例えば色が変化しないように、アラーム記号をその中に表示しないなど、構成することができる。アラーム状態に応答してハイブリッドウィンドウ３９２のトレンド部分を変えないということは、ハイブリッドウィンドウ３９２のその生理学的パラメータの任意のトレンド表示に反映されている生理学的パラメータの長期的トレンドに問題が生じていると表示するのではなく、現在の状態がアラーム状態にあるということを反映し得る。ただし、ハイブリッドウィンドウ３９２のその生理学的パラメータのトレンド部分は、モニタウィンドウについて上述したのと同様に、アラームに応答して変化するように構成することができる。
【００８６】
図１６は、平均ＩＣＰが所定正常範囲外になった後のディスプレイ画面３００の一実施形態を示し、例示された実施形態において、この平均は正常範囲上限を超えており、例えば、現在の平均値は２．９３ｋＰａ（２２ｍｍＨｇ）であり、正常範囲上限の２．６７ｋＰａ（２０ｍｍＨｇ）を上回っている。ＩＣＰ平均が正常範囲外になったことに応答して、アラームがトリガされ、これによりＩＣＰテキスト表示３９４の背景の大部分４２０の色が、第１色、例えば図１４において黒、から第２色、例えば図１６において赤、へと変化し、これによって、ＩＣＰテキスト表示３９４にアラーム記号４２２が表示される。図１６には１つだけのアラームが示されているが、画面３００上の任意の１つ以上のパラメータについて、任意の組み合わせで、それぞれのアラームを有し得る。図１６に示す実施形態は、ＩＣＰのアラーム状態検出に応答して、ハイブリッドウィンドウ３９２のＩＣＰグラフィック表示３９６又はＩＣＰトレンド部分（例えばＩＣＰトレンドウィンドウ４１０）を変化させることはない。
【００８７】
ハイブリッドウィンドウ３９２のアラームは、モニタウィンドウについて上述したのと同様に承認され得る。図１７は、図１６の承認の後の、ディスプレイ画面３００の一実施形態を示す。アラームの承認に応答して（例えば、アラーム消音ボタン３７４の作動に応答して）、承認がトリガされ、これによってＩＣＰテキスト表示３９４の背景の大部分４２０が第２色、例えば図１６において赤、から第３色、例えば図１６において白、へと変化している。ＩＣＰテキスト表示３９４の背景の小部分４２４は、図１６から図１７で変化しない。アラーム記号４２２は、図１７に示すように、アラームが承認された後であってもディスプレイ画面３００に残ったままであり得る。
【００８８】
また、モニタウィンドウについて上述したのと同様に、目標アラームは、１つ又は２つ以上の任意の要因、例えば、任意の生理学的パラメータがそれに関連付けられた目標範囲外である、及び／又は任意の生理学的パラメータが１つ又は２つ以上の所定トレンドから外れているなど、に基づいてハイブリッドウィンドウ３９２に提供することができ、図１８は、図１４のハイブリッドウィンドウ３９２の一実施形態で、平均ＰｂＯ２が変化して所定の目標範囲内になった後を示す。目標範囲内にあるＰｂＯ２平均に応答して、目標インジケータがトリガされ、これによりＰｂＯ２テキスト表示４０６の背景の小部分４２４が、第１色、例えば図１４において黒、から第２色、例えば図１８において緑、へと変化している。図１８に示す実施形態は、ＰｂＯ２の目標状態検出に応答して、ハイブリッドウィンドウ３９２のＰｂＯ２トレンド部分、例えばＰｂＯ２トレンドウィンドウ４１６、を変化させることはない。図１９は、少なくとも１つの生理学的パラメータ、例えば、図１８に関して上述したのと同様に、ＰｂＯ２、がそれの対応する目標範囲内で変化したとき、かつ、少なくとも１つの他の生理学的パラメータ、例えば、図１７に関して上述したのと同様にＩＣＰ、がそれの対応する正常範囲外であり、かつそのように認められているとき、図１４のハイブリッドウィンドウ３９２の一実施形態を示す。
【００８９】
図２０は、装置がドッキングされていないとき、例えば電池などの搭載電源で作動しているとき、図１８のハイブリッドウィンドウ３９２の一実施形態を示す。装置の非ドッキング状態は、１つ又は２つ以上の任意の方法で、例えばディスプレイ画面３００の背景色を（例えば図１８の白から図２０の黄へ）変えることによって、ドッキングインジケータ３７２を（例えば図１８のドッキングアイコンから図２０の非ドッキングアイコンへ）、テキスト識別子（例えば、図２０の画面３００にある「ドッキングなし」）などを変えることによって、示すことができる。装置がドッキングされていないことを明確に示すことによって、装置の電源切れ、範囲外れなどを防ぐのに役立ち得る。図２１は同様に、装置がドッキングされていないときの、図３のモニタウィンドウ３１０の一実施形態を示す。
【００９０】
上述のように、図１４〜２０のハイブリッドウィンドウ３９２、及び図２１のモニタウィンドウ３１０に示されている様々なウィンドウ、記号、テキスト、アイコンなどの相対的な寸法及び位置は、事実上例示的である。
【００９１】
上述のように、ディスプレイ画面３００のトレンドタブ３０６の選択により、画面３００にトレンドウィンドウ（図示せず）を表示させることができる。トレンドウィンドウは、上述のように、ハイブリッドウィンドウに表示され得るトレンド情報と同様の情報を含み得る。また上述のように、トレンド情報を提供する様々な実施形態が、米国特許公開第２００９／０００５７０３号に詳しく記述されている。
【００９２】
上述のように、ディスプレイ画面３００の将来タブ３０８の選択により、画面３００に将来ウィンドウ（図示せず）を表示させることができる。将来ウィンドウは、現在時間より後の将来時間における１つ又は２つ以上の生理学的パラメータについての情報を示し得る。将来時間は、デフォルトの、プログラミングされた時間、例えばプロセッサに予めプログラミングされている時間とすることができる、所定の時間量とすることができる、又は特定の患者についてカスタマイズさせることができる。将来時間は、例えば、約５〜６０秒の範囲、約５〜１０秒の範囲、患者の１回の心拍数、直近の数回の心拍数などであり得る。将来時間は、例えばユーザがプリファレンスメニュー又はソフトボタン３１２を作動させて、上述と同様に調節可能であり得る。将来時間の調節により、様々な臨床プロトコルが可能になる。これは、そのようなプロトコルは様々異なる時間にわたってパラメータの追跡が必要であり得るからである。
【００９３】
１つ又は以上の任意の生理学的パラメータをこの将来ウィンドウに表示させることができる。各生理学的パラメータそれぞれについて表示される情報は、上述のように、様々な方法でモニタリング装置が受け取られたデータに基づき得る。生理学的パラメータのそれぞれについて、将来ウィンドウは、上述のテキスト表示及びグラフィック表示と同様、将来時間にわたるパラメータ情報のテキスト表示、及び／又は将来時間にわたるパラメータ情報のグラフィック表示を示すように構成することができる。生理学的パラメータのうちの１つ又は２つ以上のいずれかをテキスト表示のみにし、いずれかをグラフィック表示のみにし、又はテキスト表示とグラフィック表示の両方にするかは、例えばタッチスクリーン上で表示をドラッグ・アンド・ドロップすることにより、又はプリファレンスボタン３１２をオンにすることにより、ユーザが調整することができる。将来データは、１つ又は２つ以上の任意の方法で将来ウィンドウに示すことができ、例えば、散乱プロット、蜘蛛の巣プロット、１つのパラメータを別のパラメータに対してプロット、１つのパラメータを特定の時間内で別のパラメータに対してプロット、３Ｄプロット（第３軸が時間）などが挙げられる。
【００９４】
将来ウィンドウに示されるパラメータ情報は、患者から収集された実際のパラメータ値の解析に基づき得る。換言すれば、将来時間における生理学的パラメータの情報には、患者から収集されたパラメータの実際値に基づく、将来のパラメータ値の予測が含まれ得る。生理学的パラメータの将来のパラメータ値は、当業者には理解されるように、１つ又は２つ以上の任意の外挿法を用いて、そのパラメータについて患者から収集された実際値から外挿することができる。外挿法の例としては、直線外挿法、直線外挿法、円錐外挿法、及び多項外挿法が挙げられる。そのような外挿法を行うには、当該技術分野において既知の様々なソフトウェアを使用することができ、例えばＦｉｔｙｋ（ＧＮＵ一般公衆利用ライセンスにより入手可能）、Ｃｈ（ＳｏｆｔＩｎｔｅｇｒａｔｉｏｎ、Ｉｎｃ．（Ｄａｖｉｓ、Ｃａｌｉｆｏｒｎｉａ）から販売）、ＺｕｎＺｕｎ．ｃｏｍ（オンラインの曲線回帰）、及びｓａｖｅｔｍａｎ．ｃｏｍ（重み付け最小二乗法回帰を用いたオンラインの曲線回帰）が挙げられる。将来のデータは相関関係づけることができ（例えば自己相関及び／又は相互相関）、及び／又は将来のデータは周波数解析の操作を行うことができる。
【００９５】
図３〜１９は、神経科の状況におけるユーザインタフェースを目的としており、例えば、外傷性脳損傷患者のモニタリングに使用するためのものである。ただし、本明細書に記述される方法、システム及び装置は、他の医学的状況に適用可能であり、事実上あらゆる病状を有する患者のモニタリングに使用することができる。また、図３〜１９は生理学的パラメータとしてＩＣＰ、ＭＡＰ／ＢＰ、ＨＲ、ＥＶＤ  ＩＣＰ、ＣＰＰ、ＰｂＯ２、及びＴｂを使用しているが、これは単に例示のためである。本明細書に記述される方法、システム及び装置は、患者の事実上あらゆる生理学的パラメータに適用可能である。
【００９６】
本発明には従来の低侵襲性及び開放手術器具における用途、並びにロボット支援手術における用途があることを当業者は認識するであろう。
【００９７】
本明細書に開示されている装置はまた、１回の使用の後に廃棄されるように設計することができ、又は、複数回使用されるように設計することができる。しかしながら、いずれの場合も、装置は少なくとも１回の使用後、再使用のために再調整されることができる。再調整は、装置の分解こと、これに続く洗浄こと又は特定部品の交換こと、及びその後の再組立ことの任意の組み合わせを含むことができる。詳細には、装置は分解可能であり、装置の任意の数の特定の部品又は部材を、任意の組み合わせで選択的に交換又は取り外すことができる。特定の部材の洗浄及び／又は交換に際し、装置を再調整施設において、あるいは外科手術の直前に手術チームによって再組み付けしてからその後の使用に供することができる。当業者であれば、装置の再調整に、分解、洗浄／交換、及び再組み付けのための様々な技術を利用できる点は認識されるであろう。このような技術の使用、及びその結果として得られる再調整された装置は、すべて、本出願の範囲内にある。
【００９８】
上記に述べた実施形態に基づく本発明の更なる特徴及び利点は、当業者には認識されるところであろう。したがって、本発明は、付属の特許請求の範囲によって示される場合を除いて、具体的に図示及び説明した内容によって限定されるものではない。本明細書に引用されるすべての刊行物及び文献は、それらの全容を本明細書に援用するものである。
【００９９】
〔実施の態様〕
（１）  システムであって、
ディスプレイ画面と、
プロセッサと、を含み、前記プロセッサが、
ある時間にわたって患者から測定された生理学的パラメータの複数の値を受け取ること、
該受け取り値に基づく現在値が該生理学的パラメータの正常範囲内であるかどうかを判定すること、
該現在値が該正常範囲内でないと判定された場合には該ディスプレイ画面上にアラームインジケータを表示させることであって、該アラームインジケータは該現在値が該正常範囲内にあると判定されたときには該ディスプレイ画面上に表示されない、こと、
該現在値が該生理学的パラメータの目標範囲内であるかどうかを判定することであって、該目標範囲内は該正常範囲内に入れ子になっている、こと、及び
該現在値が該目標範囲内であると判定された場合には該ディスプレイ画面上に目標インジケータを表示させることであって、該目標インジケータは該現在値が該目標範囲内にないと判定されたときには該ディスプレイ画面上に表示されない、こと、
を行うように構成される、システム。
（２）  前記生理学的パラメータが、頭蓋内圧（ＩＣＰ）、脳潅流圧（ＣＰＰ）、平均動脈血圧（ＭＡＰ）、酸素飽和度（ｐＯ２）、心拍数、及び温度のうちの少なくとも１つである、実施態様１に記載のシステム。
（３）  方法であって、
ある時間にわたって患者から測定された生理学的パラメータの複数の値を受け取ることと、
前記受け取り値に基づく現在値が前記生理学的パラメータの正常範囲内であるかどうかを判定することと、
前記現在値が前記正常範囲内でないと判定された場合には前記ディスプレイ画面上にアラームインジケータを表示させることであって、前記アラームインジケータは前記現在値が前記正常範囲内にあると判定されたときには前記ディスプレイ画面上に表示されない、ことと、
前記現在値が前記生理学的パラメータの目標範囲内であるかどうかを判定することであって、前記目標範囲が前記正常範囲内に入れ子になっている、ことと、
前記現在値が前記目標範囲内であると判定された場合には前記ディスプレイ画面上に目標インジケータを表示させることであって、前記目標インジケータは前記現在値が前記目標範囲内にないと判定されたときには前記ディスプレイ画面上に表示されない、ことと、を含む、方法。
（４）  前記目標インジケータを前記ディスプレイ画面上に表示させることは、前記ディスプレイ画面の第１部分に示される色を変化させることを含み、かつ前記アラームインジケータを前記ディスプレイ画面上に表示させることは、前記ディスプレイ画面の第２部分に示される色を変化させることを含む、実施態様３に記載の方法。
（５）  複数の前記値が所定パターンに合致するかどうかを判定することを更に含み、前記現在値が前記目標範囲内であると判定された場合であっても、前記複数の値が前記所定パターンに合致すると判定された場合には、前記ディスプレイ画面に前記目標インジケータが表示されない、実施態様３に記載の方法。
【０１００】
（６）  前記所定パターンが、前記正常範囲の上限に向かって連続的に増加する前記複数の値、及び前記正常範囲の下限に向かって連続的に減少する前記複数の値のうちの少なくとも１つを含む、実施態様５に記載の方法。
（７）  前記複数の値の数が、所定の数である、実施態様５に記載の方法。
（８）  前記ディスプレイ画面がハウジングに取り付けられており、かつ前記現在値が前記正常範囲内であるかどうかを判定すること、前記アラームインジケータを表示させること、前記現在値が前記目標範囲内であるかどうかを判定すること、及び、前記目標インジケータを表示させることが、前記ハウジング内に配置されるプロセッサにより実行される、実施態様３に記載の方法。
（９）  前記ディスプレイ画面が、ハウジングに取り付けられており、かつ前記現在値が前記正常範囲内であるかどうかを判定すること、前記アラームインジケータを表示させること、前記現在値が前記目標範囲内であるかどうかを判定すること、及び前記目標インジケータを表示させることが、前記ハウジングから遠く離れて配置されているプロセッサにより実行される、実施態様３に記載の方法。
（１０）  前記生理学的パラメータが、頭蓋内圧（ＩＣＰ）、脳潅流圧（ＣＰＰ）、平均動脈血圧（ＭＡＰ）、酸素飽和度（ｐＯ２）、心拍数、及び温度のうちの少なくとも１つである、実施態様３に記載の方法。
【０１０１】
（１１）  コンピュータ読み取り可能な媒体であって、実行時に実施態様３の方法を実施するプログラムをそれ自体に保存する、コンピュータ読み取り可能な媒体。
（１２）  方法であって、
ある時間にわたって、生理学的パラメータの値を表わすデータを受け取ることであって、前記生理学的パラメータが患者から測定される、ことと、
前記受け取り値に基づく現在値をモニタリング画面上に表示することと、
前記現在値が、前記生理学的パラメータの目標範囲内であるかどうかを判定することであって、前記目標範囲が所定上限及び所定下限を有する、ことと、
前記現在値が前記目標範囲内であると判定された場合には、前記現在値が前記目標範囲内であることを示す視覚的目標インジケータを前記モニタリング画面上に表示させることであって、前記現在値が前記目標範囲内にないと判定された場合には、前記目標インジケータは前記モニタリング画面上に表示されない、ことと、
前記現在値が前記生理学的パラメータの正常範囲内にあるかどうかを判定することであって、前記正常範囲が、前記目標範囲の前記所定上限よりも大きい所定上限と、前記目標範囲の前記所定下限よりも小さい所定下限とを有する、ことと、
前記現在値が前記正常範囲外であると判定された場合には、前記現在値が前記正常範囲外であることを示す視覚的アラームインジケータを前記モニタリング画面上に表示させることであって、前記現在値が前記正常範囲内であると判定された場合には、前記アラームインジケータは前記モニタリング画面上に表示されない、ことと、を含む、方法。
（１３）  前記視覚的目標インジケータを前記モニタリング画面上に表示させることは、前記現在値に隣接する前記モニタリング画面の第１部分に表示される色を変化させることを含み、かつ前記視覚的アラームインジケータを前記モニタリング画面上に表示させることが、前記現在値に隣接する前記モニタリング画面の第２部分に表示される色を変化させることを含む、実施態様１２に記載の方法。
（１４）  前記アラームインジケータが前記モニタリング画面上に表示されている場合には、前記目標インジケータが前記モニタリング画面上に表示されず、かつ前記目標インジケータが前記モニタリング画面上に表示されている場合には、前記アラームインジケータを前記モニタリング画面上に表示させない、実施態様１２に記載の方法。
（１５）  前記目標インジケータが前記モニタリング画面に表示されているかどうかを前記モニタリング画面上で連続的に更新するように、前記現在値が前記目標範囲内かどうかを判定することを連続的に繰り返すことと、
前記アラームインジケータが前記モニタリング画面に表示されているかどうかを前記モニタリング画面上で連続的に更新するように、前記現在値が前記正常範囲内かどうかを判定することを連続的に繰り返すことと、を更に含む、実施態様１２に記載の方法。
【０１０２】
（１６）  前記ある時間にわたって、前記患者から測定された第２の生理学的パラメータの値を表わすデータを受け取ることと、
前記ある時間にわたる前記第２の生理学的パラメータの前記値の現在値に基づいて、前記目標範囲の前記所定上限と前記目標範囲の前記所定下限のうちの少なくとも１つを変更することと、を更に含む、実施態様１２に記載の方法。
（１７）  ある期間にわたって１つ又は２つ以上の追加の生理学的パラメータの値を表わすデータを受け取ることであって、前記１つ又は２つ以上の追加の生理学的パラメータのそれぞれが前記患者から測定される、ことと、
前記ある期間にわたって前記１つ又は２つ以上の追加の生理学的パラメータのそれぞれの現在値のグラフィック表示を、前記モニタリング画面上に表示することと、
前記１つ又は２つ以上の追加の生理学的パラメータのそれぞれの前記現在値が、前記１つ又は２つ以上の追加の生理学的パラメータのそれぞれの対応する目標範囲内にあるかどうかを判定することであって、前記対応する目標範囲のそれぞれが、所定上限及び所定下限を有する、ことと、
前記１つ又は２つ以上の追加の生理学的パラメータのいずれかの前記現在値が、それに関連する目標範囲内であると判定された場合には、前記現在値が前記目標範囲内であることを示す視覚的目標インジケータを前記モニタリング画面上に表示させることであって、前記１つ又は２つ以上の追加の生理学的パラメータの前記目標インジケータは、それに関連する現在値がそれに関連する目標範囲外であると判定された場合には、前記モニタリング画面上に表示されない、ことと、
前記１つ又は２つ以上の追加の生理学的パラメータのそれぞれの前記現在値が、前記１つ又は２つ以上の追加の生理学的パラメータのそれぞれの対応する正常範囲内にあるかどうかを判定することであって、前記対応する正常範囲のそれぞれが、それに関連する目標範囲の前記所定上限より大きい所定上限と、その目標範囲の前記所定下限より小さい所定下限とを有する、ことと、
前記１つ又は２つ以上の追加の生理学的パラメータのいずれかの前記現在値が、それに関連する正常範囲外であると判定された場合には、前記現在値が前記正常範囲外であることを示す視覚的アラームインジケータを前記モニタリング画面上に表示させることであって、前記１つ又は２つ以上の追加の生理学的パラメータの前記アラームインジケータは、それに関連する現在値がそれに関連する正常範囲内であると判定された場合には、前記モニタリング画面上に表示されない、ことと、を更に含む、実施態様１２に記載の方法。
（１８）  前記目標範囲の前記所定上限と前記目標範囲の前記所定下限とを示す手動のユーザ入力に応答して、前記目標範囲の前記所定上限と前記目標範囲の前記所定下限とを設定すること、を更に含む、実施態様１２に記載の方法。
（１９）  前記生理学的パラメータの典型的な正常範囲に基づいて、前記目標範囲の前記所定上限と前記目標範囲の前記所定下限とを予めプログラミングすること、を更に含む、実施態様１２に記載の方法。
（２０）  前記生理学的パラメータが、頭蓋内圧（ＩＣＰ）、脳潅流圧（ＣＰＰ）、平均動脈血圧（ＭＡＰ）、酸素飽和度（ｐＯ２）、心拍数、及び温度のうちの少なくとも１つである、実施態様１２に記載の方法。
【図１】
2014176696.tif 000003
【図２】
2014176696.tif 000004
【図３】
2014176696.tif 000005
【図４】
2014176696.tif 000006
【図５】
2014176696.tif 000007
【図６】
2014176696.tif 000008
【図７】
2014176696.tif 000009
【図８】
2014176696.tif 000010
【図９】
2014176696.tif 000011
【図１０】
2014176696.tif 000012
【図１１】
2014176696.tif 000013
【図１２】
2014176696.tif 000014
【図１３】
2014176696.tif 000015
【図１４】
2014176696.tif 000016
【図１５】
2014176696.tif 000017
【図１６】
2014176696.tif 000018
【図１７】
2014176696.tif 000019
【図１８】
2014176696.tif 000020
【図１９】
2014176696.tif 000021
【図２０】
2014176696.tif 000022
【図２１】
2014176696.tif 000023
【外国語明細書】
2014176696000001.pdf